(57)【要約】  運用系送信多重トランスポンダ６−１〜６−Ｎに障害が発生した場合に、Ｎ：１光スイッチ５−１〜５−ｍおよび（Ｎ＋１）：１光スイッチ１１−１〜１１−ｍに対する選択切り替え制御を行うことで、予備系送受信多重トランスポンダ６−Ｒ，１０−Ｒを用いて障害を回避して伝送する。
2012073419.tif 000002
【特許請求の範囲】
【請求項１】
所定本数の光信号を多重化して波長変換を行う送信装置と、前記送信装置からの波長多重光を所定本数の光信号に多重分離する受信装置とを備えた波長多重光伝送システムにおいて、
前記送信装置は、
入力された所定本数の光信号を多重化して固有波長の光信号に変換する複数の運用系送信多重トランスポンダと、
前記各運用系送信多重トランスポンダに入力される各光信号から、当該各運用系送信多重トランスポンダの対応する入力ポート毎に、出力光を選択する入力選択部と、
前記入力選択部により選択された各光信号を多重化して、前記運用系送信多重トランスポンダとは異なる波長の光信号に変換する予備系送信多重トランスポンダと、
前記運用系送信多重トランスポンダおよび予備系送信多重トランスポンダにより多重化された各波長の光信号に対して波長多重を行い、前記受信装置に出力する波長多重化部と、
前記運用系送信多重トランスポンダの障害を検出する障害検出部、および前記障害検出部による障害検出結果に基づいて、前記入力選択部の選択切り替え制御を行う切り替え制御部を有する送信側監視制御部と、
前記送信側監視制御部の監視制御状態を示す信号を前記受信装置に出力する監視制御信号出力部とを備え、
前記受信装置は、
前記波長多重化部からの波長多重光を各波長の光信号に分離する波長分離部と、
前記波長分離部により分離された対応する波長の光信号を所定本数の光信号に多重分離する複数の運用系受信多重トランスポンダと、
前記波長分離部により分離された対応する波長の光信号を所定本数の光信号に多重分離する予備系受信多重トランスポンダと、
前記各運用系受信多重トランスポンダにより多重分離された各光信号または予備系受信多重トランスポンダにより多重分離された各光信号から出力光を選択する出力選択部と、
前記監視制御信号出力部からの監視制御信号を検出する監視制御信号検出部と、
前記監視制御信号検出部により検出された監視制御信号に基づいて、前記出力選択部の選択切替え制御を行う受信側監視制御部とを備えた
ことを特徴とする波長多重光伝送システム。
【請求項２】
前記切り替え制御部は、前記障害検出部により運用系送信多重トランスポンダの障害が検出された場合に、前記入力選択部に、当該運用系送信多重トランスポンダに入力される各光信号を出力光として選択させ、
前記受信側監視制御部は、前記出力選択部に、当該運用系送信多重トランスポンダに対応する運用系受信多重トランスポンダの代わりに、前記予備系受信多重トランスポンダからの各光信号を出力光として選択させる
ことを特徴とする請求項１記載の波長多重光伝送システム。
【請求項３】
前記送信側監視制御部は、
前記各運用系送信多重トランスポンダが有する各入力ポートの使用・未使用に関する設定情報を保持する設定情報保持部と、
前記障害検出部により第１の運用系送信多重トランスポンダの障害検出後に第２の運用系送信多重トランスポンダの障害が検出された場合に、前記設定情報保持部に保持されている前記第１，２の運用系送信多重トランスポンダに対応する設定情報を比較する設定判断部とをさらに備え、
前記切り替え制御部は、前記設定判断部により、前記第１の運用系送信多重トランスポンダに未使用設定の入力ポートがあり、かつ、前記第２の運用系送信多重トランスポンダの対応する入力ポートが使用設定であると判断された場合に、前記入力選択部による出力光の選択を、当該未使用設定ポートに入力される光信号から当該使用設定ポートに入力される光信号に切り替え、
前記受信側監視制御部は、前記出力選択部に、当該未使用設定ポートに対応する前記予備系受信多重トランスポンダの出力ポートからの光信号を、当該使用設定ポートに対応する運用系受信多重トランスポンダの出力ポートの代わりに出力光として選択するように切替える
ことを特徴とする請求項２記載の波長多重光伝送システム。
【請求項４】
前記送信側監視制御部は、
前記各運用系送信多重トランスポンダが有する各入力ポートの優先度に関する設定情報を保持する設定情報保持部と、
前記障害検出部により第１の運用系送信多重トランスポンダの障害検出後に第２の運用系送信多重トランスポンダの障害が検出された場合に、前記設定情報保持部に保持されている前記第１，２の運用系送信多重トランスポンダに対応する設定情報を比較する設定判断部とをさらに備え、
前記切り替え制御部は、前記設定判断部により、前記第１の運用系送信多重トランスポンダの入力ポートの優先度より、前記第２の運用系送信多重トランスポンダの対応する入力ポートの優先度が高いと判断された場合に、前記入力選択部による出力光の選択を、当該第１の運用系送信多重トランスポンダの入力ポートに入力される光信号から当該第２の運用系送信多重トランスポンダの入力ポートに入力される光信号に切り替え、
前記受信側監視制御部は、前記出力選択部に、当該第１の運用系送信多重トランスポンダの入力ポートに対応する前記予備系受信多重トランスポンダの出力ポートからの光信号を、当該第２の運用系送信多重トランスポンダの入力ポートに対応する運用系受信多重トランスポンダの出力ポートの代わりに出力光として選択するように切替える
ことを特徴とする請求項２記載の波長多重光伝送システム。
【請求項５】
所定本数の光信号を多重化して波長変換を行う送信装置において、
入力された所定本数の光信号を多重化して固有波長の光信号に変換する複数の運用系送信多重トランスポンダと、
前記各運用系送信多重トランスポンダに入力される各光信号から、当該各運用系送信多重トランスポンダの対応する入力ポート毎に、出力光を選択する入力選択部と、
前記入力選択部により選択された各光信号を多重化して、前記運用系送信多重トランスポンダとは異なる波長の光信号に変換する予備系送信多重トランスポンダと、
前記運用系送信多重トランスポンダおよび予備系送信多重トランスポンダにより多重化された各波長の光信号に対して波長多重を行い、出力する波長多重化部と、
前記運用系送信多重トランスポンダの障害を検出する障害検出部、および前記障害検出部による障害検出結果に基づいて、前記入力選択部の選択切り替え制御を行う切り替え制御部を有する送信側監視制御部と、
前記送信側監視制御部の監視制御状態を示す信号を出力する監視制御信号出力部と
を備えたことを特徴とする送信装置。
【請求項６】
前記切り替え制御部は、前記障害検出部により運用系送信多重トランスポンダの障害が検出された場合に、前記入力選択部に、当該運用系送信多重トランスポンダに入力される各光信号を出力光として選択させる
ことを特徴とする請求項５記載の送信装置。
【請求項７】
前記送信側監視制御部は、
前記各運用系送信多重トランスポンダが有する各入力ポートの使用・未使用に関する設定情報を保持する設定情報保持部と、
前記障害検出部により第１の運用系送信多重トランスポンダの障害検出後に第２の運用系送信多重トランスポンダの障害が検出された場合に、前記設定情報保持部に保持されている前記第１，２の運用系送信多重トランスポンダに対応する設定情報を比較する設定判断部とをさらに備え、
前記切り替え制御部は、前記設定判断部により、前記第１の運用系送信多重トランスポンダに未使用設定の入力ポートがあり、かつ、前記第２の運用系送信多重トランスポンダの対応する入力ポートが使用設定であると判断された場合に、前記入力選択部による出力光の選択を、当該未使用設定ポートに入力される光信号から当該使用設定ポートに入力される光信号に切り替える
ことを特徴とする請求項６記載の送信装置。
【請求項８】
前記送信側監視制御部は、
前記各運用系送信多重トランスポンダが有する各入力ポートの優先度に関する設定情報を保持する設定情報保持部と、
前記障害検出部により第１の運用系送信多重トランスポンダの障害検出後に第２の運用系送信多重トランスポンダの障害が検出された場合に、前記設定情報保持部に保持されている前記第１，２の運用系送信多重トランスポンダに対応する設定情報を比較する設定判断部とをさらに備え、
前記切り替え制御部は、前記設定判断部により、前記第１の運用系送信多重トランスポンダの入力ポートの優先度より、前記第２の運用系送信多重トランスポンダの対応する入力ポートの優先度が高いと判断された場合に、前記入力選択部による出力光の選択を、当該第１の運用系送信多重トランスポンダの入力ポートに入力される光信号から当該第２の運用系送信多重トランスポンダの入力ポートに入力される光信号に切り替える
ことを特徴とする請求項６記載の送信装置。
【請求項９】
所定本数の光信号が多重化され波長変換された波長多重光を受信し、所定本数の光信号に多重分離する受信装置において、
受信した波長多重光を各波長の光信号に分離する波長分離部と、
前記波長分離部により分離された対応する波長の光信号を所定本数の光信号に多重分離する複数の運用系受信多重トランスポンダと、
前記波長分離部により分離された対応する波長の光信号を所定本数の光信号に多重分離する予備系受信多重トランスポンダと、
前記各運用系受信多重トランスポンダにより多重分離された各光信号または予備系受信多重トランスポンダにより多重分離された各光信号から出力光を選択する出力選択部と、
前記運用系受信多重トランスポンダに対応する運用系送信多重トランスポンダの障害検出結果に基づく前記予備系受信多重トランスポンダに対応する予備系送信多重トランスポンダへの入力光信号を示す監視制御信号を検出する監視制御信号検出部と、
前記監視制御信号検出部により検出された監視制御信号に基づいて、前記出力選択部の選択切替え制御を行う受信側監視制御部と
を備えたことを特徴とする受信装置。
【請求項１０】
前記受信側監視制御部は、前記監視制御信号検出部により、前記予備系送信多重トランスポンダに前記運用系送信多重トランスポンダに入力される各光信号が入力されたことを示す情報が検出された場合に、前記出力選択部に、当該運用系送信多重トランスポンダに対応する運用系受信多重トランスポンダの代わりに、前記予備系受信多重トランスポンダからの各光信号を出力光として選択させる
ことを特徴とする請求項９記載の受信装置。
【請求項１１】
前記受信側監視制御部は、前記監視制御信号検出部により、前記予備系送信多重トランスポンダの所定の入力ポートへの光信号が、第１の運用系送信多重トランスポンダの対応する入力ポートに入力される光信号から第２の運用系送信多重トランスポンダの対応する入力ポートに入力される光信号に切り替えられたことを示す情報が検出された場合に、前記出力選択部に、当該第１の運用系送信多重トランスポンダの入力ポートに対応する前記予備系受信多重トランスポンダの出力ポートからの光信号を、当該第２の運用系送信多重トランスポンダの入力ポートに対応する運用系受信多重トランスポンダの出力ポートの代わりに出力光として選択するように切替える
ことを特徴とする請求項１０記載の受信装置。
【発明の詳細な説明】
【技術分野】
【０００１】
この発明は、波長多重方式を用いた光通信用伝送システムに適用されるものであり、システムに故障が発生した際の信頼性を向上させる波長多重光伝送システム、送信装置および受信装置に関するものである。
【背景技術】
【０００２】
従来の波長多重光伝送システムにおいて、通常の信号伝送に使用する運用系の送受信トランスポンダに加えて、この運用系送信トランスポンダに障害が発生した場合に、予備伝送路を構成する予備系の送受信トランスポンダを備えたものがある（例えば特許文献１参照）。これにより、ある運用系送信トランスポンダに障害が発生した場合にも、この運用系送信トランスポンダの代わりに、予備系トランスポンダにより同一の信号を伝送させることができるため、障害を回避することができ、信号伝送を確保することができる。
【先行技術文献】
【特許文献】
【０００３】
【特許文献１】特開平１０−２１０００８号公報
【発明の概要】
【発明が解決しようとする課題】
【０００４】
一方、伝送路の高速化と入出力信号の速度の多様化に伴い、１台のトランスポンダで複数の信号を収容する多重トランスポンダを用いる場合がある。すなわち、送信トランスポンダとして、ｍ本の入力信号を１本の信号に多重化して波長変換を行う送信多重トランスポンダを用いる場合がある。また、同様に受信トランスポンダとして、伝送路から受信した信号をｍ本の信号に多重分離し、波長変換を行う受信多重トランスポンダを用いる場合がある。例えば、送信側では１台の送信多重トランスポンダで４本の１０Ｇｂｐｓ信号を収容して４０Ｇｂｐｓ信号として伝送路へ送出し、受信側の受信多重トランスポンダでは伝送路から受信した４０Ｇｂｐｓの信号を４本の１０Ｇｂｐｓ信号に多重分離して出力するような場合がある。
しかしながら、特許文献１に開示される従来の波長光多重伝送装置では、１台のトランスポンダで複数の信号を収容する多重トランスポンダを使用した場合における障害回避には対応していないという課題があった。【０００５】
この発明は、上記のような課題を解決するためになされたもので、１台のトランスポンダで複数の信号を収容する多重トランスポンダを使用した場合にも障害回避を行うことが可能な波長多重光伝送システム、送信装置および受信装置を提供することを目的としている。
【課題を解決するための手段】
【０００６】
この発明に係る波長多重光伝送システムは、所定本数の光信号を多重化して波長変換を行う送信装置と、送信装置からの波長多重光を所定本数の光信号に多重分離する受信装置とを備え、送信装置は、入力された所定本数の光信号を多重化して固有波長の光信号に変換する複数の運用系送信多重トランスポンダと、各運用系送信多重トランスポンダに入力される各光信号から、当該各運用系送信多重トランスポンダの対応する入力ポート毎に、出力光を選択する入力選択部と、入力選択部により選択された各光信号を多重化して、運用系送信多重トランスポンダとは異なる波長の光信号に変換する予備系送信多重トランスポンダと、運用系送信多重トランスポンダおよび予備系送信多重トランスポンダにより多重化された各波長の光信号に対して波長多重を行い、受信装置に出力する波長多重化部と、運用系送信多重トランスポンダの障害を検出する障害検出部、および障害検出部による障害検出結果に基づいて、入力選択部の選択切り替え制御を行う切り替え制御部を有する送信側監視制御部と、送信側監視制御部の監視制御状態を示す信号を受信装置に出力する監視制御信号出力部とを備え、受信装置は、波長多重化部からの波長多重光を各波長の光信号に分離する波長分離部と、波長分離部により分離された対応する波長の光信号を所定本数の光信号に多重分離する複数の運用系受信多重トランスポンダと、波長分離部により分離された対応する波長の光信号を所定本数の光信号に多重分離する予備系受信多重トランスポンダと、各運用系受信多重トランスポンダにより多重分離された各光信号または予備系受信多重トランスポンダにより多重分離された各光信号から出力光を選択する出力選択部と、監視制御信号出力部からの監視制御信号を検出する監視制御信号検出部と、監視制御信号検出部により検出された監視制御信号に基づいて、出力選択部の選択切替え制御を行う受信側監視制御部とを備えたものである。
【発明の効果】
【０００７】
この発明によれば、上記のように構成したので、１台のトランスポンダで複数の信号を収容する多重トランスポンダを使用した場合にも障害回避を行うことができ、信号伝送を確保することができる。
【図面の簡単な説明】
【０００８】
【図１】この発明の実施の形態１に係る波長多重光伝送システムの構成を示す図である。
【図２】この発明の実施の形態１における送信側監視制御部の構成を示す図である。
【図３】この発明の実施の形態１における多重トランスポンダの構成を示す図である。
【図４】この発明の実施の形態１に係る波長多重光伝送システムによる障害が発生した際の動作を示すフローチャートである。
【図５】この発明の実施の形態２における送信側監視制御部の構成を示す図である。
【図６】この発明の実施の形態２に係る波長多重光伝送システムによる複数箇所に障害が発生した際の動作を示すフローチャートである。
【図７】この発明の実施の形態３に係る波長多重光伝送システムによる複数箇所に障害が発生した際の動作を示すフローチャートである。
【図８】この発明の実施の形態１−３における受信装置の別の構成を示す図である。
【発明を実施するための形態】
【０００９】
以下、この発明の実施の形態について図面を参照しながら詳細に説明する。
実施の形態１．
図１はこの発明の実施の形態１に係る波長多重光伝送システムの構成を示す図である。
波長多重光伝送システムは、図１に示すように、所定本数（ｍ本）の光信号を多重化して波長変換を行う送信装置１と、送信装置１からの波長多重光を所定本数（ｍ本）の光信号に多重分離して波長変換を行う受信装置２と、送信装置１および受信装置２を接続する伝送路３とから構成されている。
【００１０】
送信装置１は、図１に示すように、光カプラ４、Ｎ：１光スイッチ（入力選択部）５−１〜５−ｍ、送信多重トランスポンダ６−１〜６−Ｎ，６−Ｒ、波長多重化部７、および送信側監視制御部（ＳＶ）８から構成されている。
【００１１】
光カプラ４は、各送信多重トランスポンダ６−１〜６−Ｎに接続される各入力信号線にそれぞれ設けられ、各送信多重トランスポンダ６−１〜６−Ｎに入力される光信号を２分岐するものである。この光カプラ４により２分岐された一方の光信号は、対応する送信多重トランスポンダ６−１〜６−Ｎに出力され、他方の光信号は、対応するＮ：１光スイッチ５−１〜５−ｍに出力される。
【００１２】
Ｎ：１光スイッチ５−１〜５−ｍは、送信側監視制御部８による制御に従い、光カプラ４からのＮ本の光信号から１本の出力光を選択するものである。
ここで、Ｎ：１光スイッチ５−１には、送信多重トランスポンダ６−１に入力される光信号（１）、送信多重トランスポンダ６−２に入力される光信号（１）、・・・、送信多重トランスポンダ６−Ｎに入力される光信号（１）と同一の光信号が入力されている。すなわち、Ｎ：１光スイッチ５−１には、各送信多重トランスポンダ６−１〜６−Ｎの（１）番目の入力ポートに入力される光信号から分岐した光信号が入力されている。同様にＮ：１光スイッチ５−ｍには、各送信多重トランスポンダ６−１〜６−Ｎの（ｍ）番目の入力ポートに入力される光信号から分岐した光信号が入力されている。
このＮ：１光スイッチ５−１〜５−ｍにより選択された光信号は送信多重トランスポンダ６−Ｒに出力される。
【００１３】
送信多重トランスポンダ６−１〜６−Ｎは、光カプラ４からのｍ本の光信号を１本に多重化して固有の波長λ１〜λＮの光信号に変換するものである。また、送信多重トランスポンダ６−Ｒは、Ｎ：１光スイッチ５−１〜５−ｍからのｍ本の光信号を１本に多重化して波長λＮ＋１の光信号に変換するものである。また、送信多重トランスポンダ６−Ｒは、送信側監視制御部８の監視制御状態を示す監視制御信号を波長λＮ＋１の光信号に多重化する。この送信多重トランスポンダ６−Ｒは本願発明の監視制御信号出力部にも対応する。
ここで、波長λ１〜λＮを使用する送信多重トランスポンダ６−１〜６−Ｎは、通常の信号伝送に使用される運用系送信多重トランスポンダである。一方、波長λＮ＋１を使用する送信多重トランスポンダ６−Ｒは、波長λ１〜λＮによる信号伝送に障害が発生した場合に予備伝送路を構成する予備系送信多重トランスポンダである。
この送信多重トランスポンダ６−１〜６−Ｎ，６−Ｒにより多重化された各波長λ１〜λＮ，λＮ＋１の光信号は波長多重化部７に出力される。
【００１４】
波長多重化部７は、送信多重トランスポンダ６−１〜６−Ｎ，６−Ｒからの各波長λ１〜λＮ，λＮ＋１の光信号に対して波長多重を行うものである。この波長多重化部７により波長多重された波長多重光は伝送路３を介して受信装置２に送出される。
【００１５】
送信側監視制御部８は、各送信多重トランスポンダ６−１〜６−Ｎの状態を監視するとともに、各Ｎ：１光スイッチ５−１〜５−ｍに対する選択切り替え制御を行うものである。この送信側監視制御部８は、図２に示すように、各送信多重トランスポンダ６−１〜６−Ｎの障害を検出する障害検出部８１と、障害検出部８１による障害検出結果に基づいて、各Ｎ：１光スイッチ５−１〜５−ｍの選択切り替え制御を行う切り替え制御部８２と、送信側監視制御部８の監視制御状態を示す監視制御信号を生成して送信多重トランスポンダ６−Ｒに出力する監視制御信号生成部８３とから構成されている。
【００１６】
一方、受信装置２は、図１に示すように、波長分離部９、受信多重トランスポンダ１０−１〜１０−Ｎ，１０−Ｒ，１０−Ｒ２、（Ｎ＋１）：１光スイッチ（出力選択部）１１−１〜１１−ｍおよび受信側監視制御部（ＳＶ）１２から構成されている。
【００１７】
波長分離部９は、伝送路３を介して送信装置１から受信した波長多重光を各波長λ１〜λＮ，λＮ＋１の光信号に分離するものである。この波長分離部９により分離された各波長λ１〜λＮ，λＮ＋１の光信号は対応する受信多重トランスポンダ１０−１〜１０−Ｎ，１０−Ｒに出力される。
【００１８】
受信多重トランスポンダ１０−１〜１０−Ｎ，１０−Ｒは、波長分離部９からの光信号をｍ本の光信号に多重分離するものである。また、受信多重トランスポンダ１０−Ｒは、入力された光信号から監視制御信号を検出し、受信多重トランスポンダ１０−Ｒ２を介して受信側監視制御部１２に出力する。この受信多重トランスポンダ１０−Ｒは本願発明の監視制御信号検出部にも対応する。
ここで、送信多重トランスポンダ６−１〜６−Ｎ，６−Ｒと同様に、波長λ１〜λＮを使用する受信多重トランスポンダ１０−１〜１０−Ｎは、通常の信号伝送に使用される運用系受信多重トランスポンダである。一方、波長λＮ＋１を使用する受信多重トランスポンダ１０−Ｒは、波長λ１〜λＮによる信号伝送に障害が発生した場合に予備伝送路を構成する予備系受信多重トランスポンダである。
この受信多重トランスポンダ１０−１〜１０−Ｎ，１０−Ｒにより多重分離された光信号は対応する（Ｎ＋１）：１光スイッチ１１−１〜１１−ｍに出力される。
【００１９】
（Ｎ＋１）：１光スイッチ１１−１〜１１−ｍは、受信側監視制御部１２による制御に従い、受信多重トランスポンダ１０−１〜１０−Ｎからの光信号または受信多重トランスポンダ１０−Ｒからの光信号から出力光を選択するものである。
ここで、（Ｎ＋１）：１光スイッチ１１−１には、受信多重トランスポンダ１０−１からの光信号（１）、受信多重トランスポンダ１０−２からの光信号（１）、・・・、受信多重トランスポンダ１０−Ｒからの光信号（１）が入力されている。すなわち、（Ｎ＋１）：１光スイッチ１１−１には、各受信多重トランスポンダ１０−１〜１０−Ｎ，１０−Ｒの（１）番目の出力ポートからの光信号が入力されている。同様に（Ｎ＋１）：１光スイッチ１１−ｍには、各受信多重トランスポンダ１０−１〜１０−Ｎ，１０−Ｒの（ｍ）番目の出力ポートからの光信号が入力されている。
【００２０】
受信側監視制御部１２は、受信多重トランスポンダ１０−Ｒからの監視制御信号に基づいて、各（Ｎ＋１）：１光スイッチ１１−１〜１１−ｍに対する選択切り替え制御を行うものである。
【００２１】
次に、上記のように構成された送信多重トランスポンダ６−１〜６−Ｎ，６−Ｒおよび受信多重トランスポンダ１０−１〜１０−Ｎ，１０−Ｒの構成について説明する。
図３はこの発明の実施の形態１における多重トランスポンダの構成を示す図である。なお図３では、送信多重トランスポンダ６−Ｒおよび受信多重トランスポンダ１０−Ｒの構成について示している。
送信多重トランスポンダ６−Ｒは、図３（ａ）に示すように、低速側光／電気変換部（Ｏ／Ｅ）６１−１〜６１−ｍ、低速側受信信号処理部（ＲｘＩ／Ｆ（Ｌ））６２−１〜６２−ｍ、高速側送信信号処理部（ＴｘＩ／Ｆ（Ｈ））６３および高速側電気／光変換部（Ｅ／Ｏ）６４から構成されている。
【００２２】
Ｏ／Ｅ６１−１〜６１−ｍは、受信した光信号を電気信号に変換するものである。このＯ／Ｅ６１−１〜６１−ｍにより変換された電気信号は対応するＲｘＩ／Ｆ（Ｌ）６２−１〜６２−ｍに出力される。
【００２３】
ＲｘＩ／Ｆ（Ｌ）６２−１〜６２−ｍは、Ｏ／Ｅ６１−１〜６１−ｍからの電気信号に対してフレーム受信処理を行うものである。このＲｘＩ／Ｆ（Ｌ）６２−１〜６２−ｍによりフレーム受信処理がされた電気信号はＴｘＩ／Ｆ（Ｈ）６３に出力される。
【００２４】
ＴｘＩ／Ｆ（Ｈ）６３は、ＲｘＩ／Ｆ（Ｌ）６２−１〜６２−ｍからの各電気信号の多重化を行い、送信信号フレームを生成するものである。また、送信多重トランスポンダ６−ＲのＴｘＩ／Ｆ（Ｈ）６３では、送信側監視制御部８からの監視制御信号を、生成した送信信号フレームの制御信号領域へマッピングする。
このＴｘＩ／Ｆ（Ｈ）６３により生成された送信信号フレームはＥ／Ｏ６４に出力される。
【００２５】
Ｅ／Ｏ６４は、ＴｘＩ／Ｆ（Ｈ）６３からの送信信号フレームを波長多重化するために割り当てられた波長の光信号に変換するものである。このＥ／Ｏ６４により変換された光信号は波長多重化部７に出力される。
【００２６】
また、受信多重トランスポンダ１０−Ｒは、図３（ｂ）に示すように、高速側光／電気変換部（Ｏ／Ｅ）１０１、高速側受信信号処理部（ＲｘＩ／Ｆ（Ｈ））１０２、低速側送信信号処理部（ＴｘＩ／Ｆ（Ｌ））１０３−１〜１０３−ｍおよび低速側電気／光変換部（Ｅ／Ｏ）１０４−１〜１０４−ｍから構成されている。
【００２７】
Ｏ／Ｅ１０１は、受信した光信号を電気信号に変換するものである。このＯ／Ｅ１０１により変換された電気信号はＲｘＩ／Ｆ（Ｈ）１０２に出力される。
【００２８】
ＲｘＩ／Ｆ（Ｈ）１０２は、Ｏ／Ｅ１０１からの電気信号に対してフレーム受信処理を行うとともに、ｍ本の電気信号に多重分離するものである。また、受信多重トランスポンダ１０−ＲのＲｘＩ／Ｆ（Ｈ）１０２では、フレーム受信処理において、電気信号の制御信号領域から監視制御信号を検出して受信側監視制御部１２に出力する。
このＲｘＩ／Ｆ（Ｈ）１０２によりフレーム受信処理され多重分離された各電気信号は対応するＴｘＩ／Ｆ（Ｌ）１０３−１〜１０３−ｍに出力される。
【００２９】
ＴｘＩ／Ｆ（Ｌ）１０３−１〜１０３−ｍは、ＲｘＩ／Ｆ（Ｈ）１０２からのｍ本の電気信号に対して処理を行い、受信信号フレームを生成するものである。このＴｘＩ／Ｆ（Ｌ）１０３−１〜１０３−ｍにより生成された受信信号フレームは対応するＥ／Ｏ１０４−１〜１０４−ｍに出力される。
【００３０】
Ｅ／Ｏ１０４−１〜１０４−ｍは、ＴｘＩ／Ｆ（Ｌ）１０３−１〜１０３−ｍからの受信信号フレームを光信号に変換するものである。このＥ／Ｏ１０４−１〜１０４−ｍにより変換された光信号は対応する（Ｎ＋１）：１光スイッチ１１−１〜１１−ｍに出力される。
【００３１】
なお、その他の送信多重トランスポンダ６−１〜６−Ｎおよび受信多重トランスポンダ１０−１〜１０−Ｎの構成についても、監視制御信号のマッピング・検出を行わない点以外は送信多重トランスポンダ６−Ｒおよび受信多重トランスポンダ１０−Ｒの構成と同一である。
【００３２】
次に、上記のように構成された波長多重光伝送システムの動作について説明する。
図４はこの発明の実施の形態１に係る波長多重光伝送システムによる障害が発生した際の動作を示すフローチャートである。なお以下では、例として送信多重トランスポンダ６−２に障害が発生し、波長λ２の光信号の出力が停止した場合について説明する。
波長多重光伝送システムによる動作では、図４に示すように、まず、障害検出部８１は送信多重トランスポンダ６−２の障害を検出する（ステップＳＴ４１）。すなわち、障害検出部８１は、常時、運用系送信多重トランスポンダである各送信多重トランスポンダ６−１〜６−Ｎの状態を監視しており、送信多重トランスポンダ６−２に障害が発生し、波長λ２の光信号の出力が停止したことを検出する。
【００３３】
次いで、切り替え制御部８２は各Ｎ：１光スイッチ５−１〜５−ｍに対する選択切り替え制御を行う（ステップＳＴ４２）。すなわち、切り替え制御部８２は、各Ｎ：１光スイッチ５−１〜５−ｍに対して、送信多重トランスポンダ６−２に入力される光信号から分岐した光信号を出力光として選択するように制御する。
これにより、送信多重トランスポンダ６−Ｒには、送信多重トランスポンダ６−２に入力されるｍ本の光信号（１）〜（ｍ）と同一の光信号（１）〜（ｍ）が入力される状態となる。その後、この光信号（１）〜（ｍ）は、送信多重トランスポンダ６−Ｒにより波長λＮ＋１の光信号に変換された後、波長多重化部７によりその他の波長λ１〜λＮの光信号とともに波長多重され伝送路３を介して受信装置２へ送出される。
【００３４】
次いで、監視制御信号生成部８３は監視制御信号を出力する（ステップＳＴ４３）。すなわち、監視制御信号生成部８３は、自局の監視制御状態（送信多重トランスポンダ６−２に障害が発生し、送信多重トランスポンダ６−Ｒから代わりに光信号を出力している旨）を示す監視制御信号を生成して送信多重トランスポンダ６−Ｒに出力する。そして、送信多重トランスポンダ６−Ｒは、この監視制御信号を波長λＮ＋１の光信号に多重化（送信信号フレームの制御信号領域へマッピング）して出力する。
【００３５】
次いで、受信多重トランスポンダ１０−Ｒは監視制御信号を検出する（ステップＳＴ４４）。すなわち、伝送路３を介して送信装置１から伝送された光信号は、波長分離部９により波長λ１〜λＮ、λＮ＋１の光信号に分離される。各波長λ１〜λＮ、λＮ＋１に分離された光信号は対応する受信多重トランスポンダ１０−１〜１０−Ｎ，１０−Ｒに入力され、受信フレーム処理、多重分離が行われる。この受信多重トランスポンダ１０−１〜１０−Ｎ，１０−Ｒにより多重分離された各光信号は対応する（Ｎ＋１）：１光スイッチ１１−１〜１１−ｍに出力される。また、この際、受信多重トランスポンダ１０−Ｒでは、入力した波長λＮ＋１の光信号から、フレーム受信処理において監視制御領域から監視制御信号を検出する。この受信多重トランスポンダ１０−Ｒにより検出された監視制御信号は受信側監視制御部１２に出力される。
【００３６】
次いで、受信側監視制御部１２は各（Ｎ＋１）：１光スイッチ１１−１〜１１−ｍに対する選択切り替え制御を行う（ステップＳＴ４５）。すなわち、受信側監視制御部１２は、受信多重トランスポンダ１０−Ｒからの監視制御信号に基づいて、波長λ２を使用する送信多重トランスポンダ６−２に障害が発生し、送信多重トランスポンダ６−Ｒにより波長λ２の光信号と同一の光信号が出力されていることを認識する。そして、（Ｎ＋１）：１光スイッチ１１−１〜１１−ｍに対して、波長λ２を使用する受信多重トランスポンダ１０−２の代わりに受信多重トランスポンダ１０−Ｒからの光信号（１）〜（ｍ）を出力光として選択させるように制御する。なお、その他の受信多重トランスポンダ１１−１，１１−３〜１１−ｍからの各光信号（１）〜（ｍ）については、そのまま出力光として選択させるように制御する。
これにより、各（Ｎ＋１）：１光スイッチ１１−１〜１１−ｍから、受信多重トランスポンダ１０−２からのｍ本の光信号（１）〜（ｍ）と同一の光信号が出力される状態となる。
【００３７】
以上のように、この実施の形態１によれば、運用系送信多重トランスポンダに障害が発生した場合にも、Ｎ：１光スイッチ５−１〜５−ｍおよび（Ｎ＋１）：１光スイッチ１１−１〜１１−ｍに対する選択切り替え制御を行うことで、予備系送受信多重トランスポンダを用いて障害を回避して伝送することができる。
【００３８】
実施の形態２．
実施の形態１では、１つの運用系送信多重トランスポンダに障害が発生した場合について説明したが、実施の形態２では、さらに別の運用系送信多重トランスポンダにも障害が発生した場合について説明する。
図５はこの発明の実施の形態２における送信側監視制御部８の構成を示す図である。図５に示す実施の形態２における送信側監視制御部８は、図２に示す実施の形態１における送信側監視制御部８に設定情報保持部８４および設定判断部８５を追加したものである。その他の構成は同様であり、同一の符号を付してその説明を省略する。
【００３９】
設定情報保持部８４は、各送信多重トランスポンダ６−１〜６−Ｎが有する各入力ポート（１）〜（ｍ）の使用・未使用に関する設定情報を予め保持するものである。この設定情報保持部８４に保持されている各設定情報は設定判断部８５により参照される。
設定判断部８５は、障害検出部８１により第１の運用系送信多重トランスポンダの障害検出後に第２の運用系送信多重トランスポンダの障害が検出された場合に、設定情報保持部８４に保持されている第１，２の運用系送信多重トランスポンダに対応する設定情報を確認するものである。この設定判断部８５による確認結果を示す情報は切り替え制御部８２に出力される。
また、切り替え制御部８２は、設定判断部８５による確認結果情報に基づいて、Ｎ：１光スイッチ５−１〜５−ｍに対する選択切り替え制御を行う。
【００４０】
次に、上記のように構成された波長多重光伝送システムの動作について説明する。
図６はこの発明の実施の形態２に係る波長多重光伝送システムによる複数箇所に障害が発生した際の動作を示すフローチャートである。なお以下では、例として、送信多重トランスポンダ６−Ｒを用いて送信多重トランスポンダ６−２の障害回避中に、さらに別の送信多重トランスポンダ６−１にも障害が発生した場合について説明する。また、設定情報保持部８４には、予め、各送信多重トランスポンダ６−１〜６−Ｎが有する各入力ポート（１）〜（ｍ）の使用・未使用に関する設定情報が保持されている。
【００４１】
波長多重光伝送システムによる動作では、図６に示すように、送信多重トランスポンダ６−Ｒを用いて送信多重トランスポンダ６−２の障害回避中に、障害検出部８１はさらに別の送信多重トランスポンダ６−１の障害を検出する（ステップＳＴ６１）。
【００４２】
次いで、設定判断部８５は、設定情報保持部８４に保持されている設定情報を参照して、現在障害回避中の送信多重トランスポンダ６−２が有する各入力ポート（１）〜（ｍ）の使用・未使用設定を確認する（ステップＳＴ６２）。
次いで、設定判断部８５は、設定情報保持部８４に保持されている設定情報を参照して、新たに障害が発生した送信多重トランスポンダ６−１が有する各入力ポート（１）〜（ｍ）の使用・未使用設定を確認する（ステップＳＴ６３）。
【００４３】
次いで、設定判断部８５は、送信多重トランスポンダ６−２に未使用設定の入力ポート（ｐ）があり、かつ送信多重トランスポンダ６−１の対応する入力ポート（ｐ）が使用設定であるかを判断する（ステップＳＴ６４）。
【００４４】
このステップＳＴ６４において、設定判断部８５が、該当する入力ポート（ｐ）が存在すると判断した場合には、切り替え制御部８２は、各送信多重トランスポンダ６−１〜６−Ｎの入力ポート（ｐ）に入力される光信号（ｐ）から分岐された光信号が入力されるＮ：１光スイッチ５−ｐに対する選択切り替え制御を行う（ステップＳＴ６５）。すなわち、切り替え制御部８２は、Ｎ：１光スイッチ５−ｐに対して、送信多重トランスポンダ６−２に入力される光信号（ｐ）から分岐した光信号の選択から、送信多重トランスポンダ６−１に入力される光信号（ｐ）から分岐した光信号の選択に切り替えるように制御する。
【００４５】
これにより、送信多重トランスポンダ６−Ｒに入力される光信号（１）〜（ｍ）のうち、光信号（ｐ）は、送信多重トランスポンダ６−１に入力される光信号（ｐ）と同一の光信号に切り替えられる。なお、光信号（ｐ）以外の光信号は、送信多重トランスポンダ６−２に入力される光信号（ｐ）以外の光信号と同一の光信号のままである。
その後、この光信号（１）〜（ｍ）は、送信多重トランスポンダ６−Ｒにより波長λＮ＋１の光信号に変換された後、波長多重化部７によりその他の波長λ１〜λＮの光信号とともに波長多重され伝送路３を介して受信装置２へ送出される。
【００４６】
次いで、監視制御信号生成部８３は監視制御信号を出力する（ステップＳＴ６６）。すなわち、監視制御信号生成部８３は、自局の監視制御状態（送信多重トランスポンダ６−１にも障害が発生し、送信多重トランスポンダ６−Ｒから代わりに光信号（ｐ）を出力している旨）を示す監視制御信号を生成して送信多重トランスポンダ６−Ｒに出力する。そして、送信多重トランスポンダ６−Ｒは、監視制御信号を波長λＮ＋１の光信号に多重化（送信信号フレームの制御信号領域へマッピング）して出力する。
【００４７】
次いで、受信多重トランスポンダ１０−Ｒは監視制御信号を検出する（ステップＳＴ６７）。すなわち、伝送路３を介して送信装置１から伝送された光信号は、波長分離部９により波長λ１〜λＮ、λＮ＋１の光信号に分離される。各波長λ１〜λＮ、λＮ＋１に分離された光信号は対応する受信多重トランスポンダ１０−１〜１０−Ｎ，１０−Ｒに入力され、受信フレーム処理、多重分離が行われる。この受信多重トランスポンダ１０−１〜１０−Ｎ，１０−Ｒにより多重分離された各光信号は対応する（Ｎ＋１）：Ｎ光スイッチ１１−１〜１１−ｍに出力される。また、この際、受信多重トランスポンダ１０−Ｒでは、入力した波長λＮ＋１の光信号から、フレーム受信処理において監視制御領域から監視制御信号を検出する。この受信多重トランスポンダ１０−Ｒにより検出された監視制御信号は受信側監視制御部１２に出力される。
【００４８】
次いで、受信側監視制御部１２は（Ｎ＋１）：１光スイッチ１１−ｐに対する選択切り替え制御を行う（ステップＳＴ６８）。すなわち、受信側監視制御部１２は、受信多重トランスポンダ１０−Ｒからの監視制御信号に基づいて、波長λ１を使用する送信多重トランスポンダ６−１にも障害が発生し、送信多重トランスポンダ６−Ｒにより波長λ１の光信号（ｐ）と同一の光信号が出力されていることを認識する。そして、（Ｎ＋１）：１光スイッチ１１−ｐに対して、受信多重トランスポンダ１０−１の出力ポート（ｐ）からの光信号（ｐ）の代わりに、受信トランスポンダ１０−Ｒの出力ポート（ｐ）からの光信号（ｐ）を出力光として選択させるように切り替える。
これにより、既に障害回避中の送信多重トランスポンダ６−２に対しては、未使用設定の入力ポート（ｐ）に入力される光信号（ｐ）以外の光信号について障害回避が維持され、新たに障害が発生した送信多重トランスポンダ６−１に対しては光信号（ｐ）について障害回避が行われる。
【００４９】
以上のように、この実施の形態２によれば、各送信多重トランスポンダ６−１〜６−Ｎが有する入力ポート（１）〜（ｍ）について予め使用／未使用の設定情報を保持し、ある運用系送信多重トランスポンダの障害回避中に、さらに別の運用系送信多重トランスポンダに障害が発生した場合に、障害回避中の運用系送信多重トランスポンダの未使用設定の入力ポートに入力される光信号に対する障害回避を中止し、新たに障害が発生した運用系送信多重トランスポンダの光信号の障害回避を行うように、Ｎ：１光スイッチ５−１〜５−ｍおよび（Ｎ＋１）：１光スイッチ１１−１〜１１−ｍに対する選択切り替え制御を行うことで、実施の形態１における効果に加えて、波長の使用効率を向上させることができる。
【００５０】
実施の形態３．
実施の形態２では、運用系トランスポンダが有する各入力ポートの使用・未使用の設定情報に基づき、光スイッチの選択切り替え制御を行う場合について説明したが、実施の形態３では、運用系トランスポンダが有する各入力ポートの優先度に基づき、光スイッチの選択切り替え制御を行う場合について説明する。
なお、実施の形態３における送信側監視制御部８の構成は、図５に示す実施の形態２における送信側監視制御部８の構成と同様であり、以下では図５を参照しながら説明を行う。
【００５１】
なお、設定情報保持部８４は、各送信多重トランスポンダ６−１〜６−Ｎが有する各入力ポート（１）〜（ｍ）の優先度に関する設定情報を予め保持するものである。この設定情報保持部８４に保持されている各設定情報は設定判断部８５により参照される。
また、設定判断部８５は、障害検出部８１により第１の運用系送信多重トランスポンダの障害検出後に第２の運用系送信多重トランスポンダの障害が検出された場合に、設定情報保持部８４に保持されている第１，２の運用系送信多重トランスポンダに対応する設定情報を確認するものである。この設定判断部８５による確認結果を示す情報は切り替え制御部８２に出力される。
【００５２】
次に、上記のように構成された波長多重光伝送システムの動作について説明する。
図７はこの発明の実施の形態３に係る波長多重光伝送システムによる複数箇所に障害が発生した際の動作を示すフローチャートである。なお以下では、例として、送信多重トランスポンダ６−Ｒを用いて送信多重トランスポンダ６−２の障害回避中に、さらに別の送信多重トランスポンダ６−１にも障害が発生した場合について説明する。また、設定情報保持部８４には、予め、各送信多重トランスポンダ６−１〜６−Ｎが有する各入力ポート（１）〜（ｍ）の優先度に関する設定情報が保持されている。
【００５３】
波長多重光伝送システムによる動作では、図７に示すように、送信多重トランスポンダ６−Ｒを用いて送信多重トランスポンダ６−２の障害回避中に、障害検出部８１はさらに別の送信多重トランスポンダ６−１の障害を検出する（ステップＳＴ７１）。
【００５４】
次いで、設定判断部８５は、設定情報保持部８４に保持されている設定情報を参照して、現在障害回避中の送信多重トランスポンダ６−２が有する各入力ポート（１）〜（ｍ）の優先度設定を確認する（ステップＳＴ７２）。
次いで、設定判断部８５は、設定情報保持部８４に保持されている設定情報を参照して、新たに障害が発生した送信多重トランスポンダ６−１が有する各入力ポート（１）〜（ｍ）の優先度設定を確認する（ステップＳＴ７３）。
【００５５】
次いで、設定判断部８５は、送信多重トランスポンダ６−２の入力ポート（ｐ）の優先度より、送信多重トランスポンダ６−１の対応する入力ポート（ｐ）の優先度が高い入力ポート（ｐ）があるかを判断する（ステップＳＴ７４）。
【００５６】
このステップＳＴ７４において、設定判断部８５が、該当する入力ポート（ｐ）が存在すると判断した場合には、切り替え制御部８２は、各送信多重トランスポンダ６−１〜６−Ｎの入力ポート（ｐ）に入力される光信号（ｐ）から分岐された光信号が入力されるＮ：１光スイッチ５−ｐに対する選択切り替え制御を行う（ステップＳＴ７５）。すなわち、切り替え制御部８２は、Ｎ：１光スイッチ５−ｐに対して、送信多重トランスポンダ６−２に入力される光信号（ｐ）から分岐した光信号の選択から、送信多重トランスポンダ６−１に入力される光信号（ｐ）から分岐した光信号の選択に切り替えるように制御する。
【００５７】
これにより、送信多重トランスポンダ６−Ｒに入力される光信号（１）〜（ｍ）のうち、光信号（ｐ）は、送信多重トランスポンダ６−１に入力される光信号（ｐ）と同一の光信号に切り替えられる。なお、光信号（ｐ）以外の光信号は、送信多重トランスポンダ６−２に入力される光信号（ｐ）以外の光信号と同一の光信号のままである。
その後、この光信号（１）〜（ｍ）は、送信多重トランスポンダ６−Ｒにより波長λＮ＋１の光信号に変換された後、波長多重化部７によりその他の波長λ１〜λＮの光信号とともに波長多重され伝送路３を介して受信装置２へ送出される。
【００５８】
次いで、監視制御信号生成部８３は監視制御信号を出力する（ステップＳＴ７６）。すなわち、監視制御信号生成部８３は、自局の監視制御状態（送信多重トランスポンダ６−１にも障害が発生し、送信多重トランスポンダ６−Ｒから代わりに光信号（ｐ）を出力している旨）を示す監視制御信号を生成して送信多重トランスポンダ６−Ｒに出力する。そして、送信多重トランスポンダ６−Ｒは、監視制御信号を波長λＮ＋１の光信号に多重化（送信信号フレームの制御信号領域へマッピング）して出力する。
【００５９】
次いで、受信多重トランスポンダ１０−Ｒは監視制御信号を検出する（ステップＳＴ７７）。すなわち、伝送路３を介して送信装置１から伝送された光信号は、波長分離部９により波長λ１〜λＮ、λＮ＋１の光信号に分離される。各波長λ１〜λＮ、λＮ＋１に分離された光信号は対応する受信多重トランスポンダ１０−１〜１０−Ｎ，１０−Ｒに入力され、受信フレーム処理、多重分離が行われる。この受信多重トランスポンダ１０−１〜１０−Ｎ，１０−Ｒにより多重分離された各光信号（１）〜（ｍ）は対応する（Ｎ＋１）：Ｎ光スイッチ１１−１〜１１−ｍに出力される。また、この際、受信多重トランスポンダ１０−Ｒでは、入力した波長λＮ＋１の光信号から、フレーム受信処理において監視制御領域から監視制御信号を検出する。この受信多重トランスポンダ１０−Ｒにより検出された監視制御信号は受信側監視制御部１２に出力される。
【００６０】
次いで、受信側監視制御部１２は（Ｎ＋１）：１光スイッチ１１−ｐに対する選択切り替え制御を行う（ステップＳＴ７８）。すなわち、受信側監視制御部１２は、受信多重トランスポンダ１０−Ｒからの監視制御信号に基づいて、波長λ１を使用する送信多重トランスポンダ６−１にも障害が発生し、送信多重トランスポンダ６−Ｒにより波長λ１の光信号（ｐ）と同一の光信号が出力されていることを認識する。そして、（Ｎ＋１）：１光スイッチ１１−ｐに対して、受信多重トランスポンダ１０−１の出力ポート（ｐ）からの光信号（ｐ）の代わりに、受信トランスポンダ１０−Ｒの出力ポート（ｐ）からの光信号（ｐ）を出力光として選択させるように切り替える。
これにより、既に障害回避中の送信多重トランスポンダ６−２に対しては、光信号（ｐ）以外の光信号について障害回避が維持され、新たに障害が発生した送信多重トランスポンダ２−１に対しては、送信多重トランスポンダ６−２より優先度の高い光信号（ｐ）について障害回避が行われる。
【００６１】
以上のように、この実施の形態３によれば、各送信多重トランスポンダ６−１〜６−Ｎが有する入力ポート（１）〜（ｍ）について予め優先度の設定情報を保持し、ある運用系送信多重トランスポンダの障害回避中に、さらに別の運用系送信多重トランスポンダに障害が発生した場合に、双方の運用系送信多重トランスポンダの優先度の高い方の入力ポートに入力される光信号の障害回避を行うように、Ｎ：１光スイッチ５−１〜５−ｍおよび（Ｎ＋１）：１光スイッチ１１−１〜１１−ｍに対する選択切り替え制御を行うことで、実施の形態１における効果に加えて、波長の使用効率を向上させることができるとともに、常に最も優先度の高い光信号の障害が回避されるようになり、詳細な障害管理の設定が可能となる。
【００６２】
なお、実施の形態１〜３における受信装置２では、図１に示すように、（Ｎ＋１）：１光スイッチ１１−１〜１１−ｍを使用した場合について示したが、図８に示すように、受信側監視制御部１２による制御に従い、受信多重トランスポンダ１０−Ｒからの光信号の出力先を選択する１：Ｎ光スイッチ１３−１〜１３−ｍと、１：Ｎ光スイッチ１３−１〜１３−ｍからの光信号を対応する受信多重トランスポンダ１０−１〜１０−Ｎからの光信号と合波する光カプラ１４とを使用して構成してもよく、同様の効果を得ることができる。
【００６３】
また、実施の形態１〜３では、送信側監視制御部８から受信側監視制御部１２へ制御状態信号を通知する手段として、送信多重トランスポンダ６−Ｒで生成する送信フレームの制御信号領域にマッピングして転送する例を示したが、別途、波長λ１〜λＮ＋１以外の波長を利用した光信号に変換して伝送路３への光信号に波長多重して送出する手段でもよく、同様の効果を得ることができる。
【００６４】
また、実施の形態１〜３において、送信側監視制御部８および受信側監視制御部１２による障害回避対象の選択は、障害への対処の利便性を更に向上させるために強制的に任意に選択できるように構成してもよい。
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００６５】
この発明に係る波長多重光伝送システム、送信装置および受信装置は、１台のトランスポンダで複数の信号を収容する多重トランスポンダを使用した場合にも障害回避を行うことができ、信号伝送を確保することができるため、波長多重方式を用いた光通信用伝送システムに適用され、システムに故障が発生した際の信頼性を向上させる波長多重光伝送システム、送信装置および受信装置等に用いるのに適している。
【符号の説明】
【００６６】
１  送信装置、２  受信装置、３  伝送路、４  光カプラ４、５−１〜５−ｍ  Ｎ：１光スイッチ（入力選択部）、６−１〜６−Ｎ，６−Ｒ  送信多重トランスポンダ、７  波長多重化部、８  送信側監視制御部、９  波長分離部、１０−１〜１０−Ｎ，１０−Ｒ，１０−Ｒ２  受信多重トランスポンダ、１１−１〜１１−ｍ  （Ｎ＋１）：１光スイッチ（出力選択部）、１２  受信側監視制御部、１３−１〜１３−ｍ  １：Ｎ光スイッチ、１４  光カプラ、６１−１〜６１−ｍ  低速側光／電気変換部（Ｏ／Ｅ）、６２−１〜６２−ｍ  低速側受信信号処理部（ＲｘＩ／Ｆ（Ｌ））、６３  高速側送信信号処理部（ＴｘＩ／Ｆ（Ｈ））、６４  高速側電気／光変換部（Ｅ／Ｏ）、８１  障害検出部、８２  切り替え制御部、８３  監視制御信号生成部、８４  設定情報保持部、８５  設定判断部、１０１  高速側光／電気変換部（Ｏ／Ｅ）、１０２  高速側受信信号処理部（ＲｘＩ／Ｆ（Ｈ））、１０３−１〜１０３−ｍ  低速側送信信号処理部（ＴｘＩ／Ｆ（Ｌ））、１０４−１〜１０４−ｍ  低速側電気／光変換部（Ｅ／Ｏ）。
【図１】
2012073419.tif 000003
【図２】
2012073419.tif 000004
【図３】
2012073419.tif 000005
【図４】
2012073419.tif 000006
【図５】
2012073419.tif 000007
【図６】
2012073419.tif 000008
【図７】
2012073419.tif 000009
【図８】
2012073419.tif 000010
【手続補正書】
【提出日】平成25年7月19日(2013.7.19)
【手続補正１】
【補正対象書類名】明細書
【補正対象項目名】全文
【補正方法】変更
【補正の内容】
【発明の詳細な説明】
【技術分野】
【０００１】
この発明は、波長多重方式を用いた光通信用伝送システムに適用されるものであり、システムに故障が発生した際の信頼性を向上させる波長多重光伝送システム、送信装置および受信装置に関するものである。
【背景技術】
【０００２】
従来の波長多重光伝送システムにおいて、通常の信号伝送に使用する運用系の送受信トランスポンダに加えて、この運用系送信トランスポンダに障害が発生した場合に、予備伝送路を構成する予備系の送受信トランスポンダを備えたものがある（例えば特許文献１参照）。これにより、ある運用系送信トランスポンダに障害が発生した場合にも、この運用系送信トランスポンダの代わりに、予備系トランスポンダにより同一の信号を伝送させることができるため、障害を回避することができ、信号伝送を確保することができる。
【先行技術文献】
【特許文献】
【０００３】
【特許文献１】特開平１０−２１０００８号公報
【発明の概要】
【発明が解決しようとする課題】
【０００４】
一方、伝送路の高速化と入出力信号の速度の多様化に伴い、１台のトランスポンダで複数の信号を収容する多重トランスポンダを用いる場合がある。すなわち、送信トランスポンダとして、ｍ本の入力信号を１本の信号に多重化して波長変換を行う送信多重トランスポンダを用いる場合がある。また、同様に受信トランスポンダとして、伝送路から受信した信号をｍ本の信号に多重分離し、波長変換を行う受信多重トランスポンダを用いる場合がある。例えば、送信側では１台の送信多重トランスポンダで４本の１０Ｇｂｐｓ信号を収容して４０Ｇｂｐｓ信号として伝送路へ送出し、受信側の受信多重トランスポンダでは伝送路から受信した４０Ｇｂｐｓの信号を４本の１０Ｇｂｐｓ信号に多重分離して出力するような場合がある。
しかしながら、特許文献１に開示される従来の波長光多重伝送装置では、１台のトランスポンダで複数の信号を収容する多重トランスポンダを使用した場合における障害回避には対応していないという課題があった。
【０００５】
この発明は、上記のような課題を解決するためになされたもので、１台のトランスポンダで複数の信号を収容する多重トランスポンダを使用した場合にも障害回避を行うことが可能な波長多重光伝送システム、送信装置および受信装置を提供することを目的としている。
【課題を解決するための手段】
【０００６】
この発明に係る波長多重光伝送システムは、複数の光信号を多重化して波長変換を行う送信装置と、送信装置からの波長多重光を複数の光信号に多重分離する受信装置とを備え、送信装置は、複数の入力ポートを備え、当該入力ポートに入力された各光信号を多重化して固有波長の光信号に変換する複数の運用系送信多重トランスポンダと、複数の運用系送信多重トランスポンダの対応する複数の入力ポート毎に設けられ、当該対応する複数の入力ポートに入力される各光信号からいずれか一つの光信号を選択し出力する複数の入力選択手段と、複数の入力選択手段により選択された各光信号を多重化して、固有波長の光信号に変換する予備系送信多重トランスポンダと、複数の運用系送信多重トランスポンダおよび予備系送信多重トランスポンダにより多重化された各波長の光信号に対して波長多重を行い、受信装置に出力する波長多重化手段と、入力選択手段の選択切り替え制御状態を示す信号を受信装置に出力する送信側監視制御手段とを備え、受信装置は、波長多重化手段からの波長多重光を各波長の光信号に分離する波長分離手段と、波長分離手段により分離された対応する波長の光信号を複数の光信号に多重分離する複数の運用系受信多重トランスポンダと、波長分離手段により分離された対応する波長の光信号を複数の光信号に多重分離する予備系受信多重トランスポンダと、各運用系受信多重トランスポンダにより多重分離された各光信号または予備系受信多重トランスポンダにより多重分離された各光信号から出力光を選択する出力選択手段と、送信側監視制御手段の出力する信号に基づいて、出力選択手段の選択切り替え制御を行う受信側監視制御手段とを備えたものである。
【発明の効果】
【０００７】
この発明によれば、上記のように構成したので、１台のトランスポンダで複数の信号を収容する多重トランスポンダを使用した場合にも障害回避を行うことができ、信号伝送を確保することができる。
【図面の簡単な説明】
【０００８】
【図１】この発明の実施の形態１に係る波長多重光伝送システムの構成を示す図である。
【図２】この発明の実施の形態１における送信側監視制御部の構成を示す図である。
【図３】この発明の実施の形態１における多重トランスポンダの構成を示す図である。
【図４】この発明の実施の形態１に係る波長多重光伝送システムによる障害が発生した際の動作を示すフローチャートである。
【図５】この発明の実施の形態２における送信側監視制御部の構成を示す図である。
【図６】この発明の実施の形態２に係る波長多重光伝送システムによる複数箇所に障害が発生した際の動作を示すフローチャートである。
【図７】この発明の実施の形態３に係る波長多重光伝送システムによる複数箇所に障害が発生した際の動作を示すフローチャートである。
【図８】この発明の実施の形態１−３における受信装置の別の構成を示す図である。
【発明を実施するための形態】
【０００９】
以下、この発明の実施の形態について図面を参照しながら詳細に説明する。
実施の形態１．
図１はこの発明の実施の形態１に係る波長多重光伝送システムの構成を示す図である。
波長多重光伝送システムは、図１に示すように、所定本数（ｍ本）の光信号を多重化して波長変換を行う送信装置１と、送信装置１からの波長多重光を所定本数（ｍ本）の光信号に多重分離して波長変換を行う受信装置２と、送信装置１および受信装置２を接続する伝送路３とから構成されている。
【００１０】
送信装置１は、図１に示すように、光カプラ４、Ｎ：１光スイッチ（入力選択部）５−１〜５−ｍ、送信多重トランスポンダ６−１〜６−Ｎ，６−Ｒ、波長多重化部７、および送信側監視制御部（ＳＶ）８から構成されている。
【００１１】
光カプラ４は、各送信多重トランスポンダ６−１〜６−Ｎに接続される各入力信号線にそれぞれ設けられ、各送信多重トランスポンダ６−１〜６−Ｎに入力される光信号を２分岐するものである。この光カプラ４により２分岐された一方の光信号は、対応する送信多重トランスポンダ６−１〜６−Ｎに出力され、他方の光信号は、対応するＮ：１光スイッチ５−１〜５−ｍに出力される。
【００１２】
Ｎ：１光スイッチ５−１〜５−ｍは、送信側監視制御部８による制御に従い、光カプラ４からのＮ本の光信号から１本の出力光を選択するものである。
ここで、Ｎ：１光スイッチ５−１には、送信多重トランスポンダ６−１に入力される光信号（１）、送信多重トランスポンダ６−２に入力される光信号（１）、・・・、送信多重トランスポンダ６−Ｎに入力される光信号（１）と同一の光信号が入力されている。すなわち、Ｎ：１光スイッチ５−１には、各送信多重トランスポンダ６−１〜６−Ｎの（１）番目の入力ポートに入力される光信号から分岐した光信号が入力されている。同様にＮ：１光スイッチ５−ｍには、各送信多重トランスポンダ６−１〜６−Ｎの（ｍ）番目の入力ポートに入力される光信号から分岐した光信号が入力されている。
このＮ：１光スイッチ５−１〜５−ｍにより選択された光信号は送信多重トランスポンダ６−Ｒに出力される。
【００１３】
送信多重トランスポンダ６−１〜６−Ｎは、光カプラ４からのｍ本の光信号を１本に多重化して固有の波長λ１〜λＮの光信号に変換するものである。また、送信多重トランスポンダ６−Ｒは、Ｎ：１光スイッチ５−１〜５−ｍからのｍ本の光信号を１本に多重化して波長λＮ＋１の光信号に変換するものである。また、送信多重トランスポンダ６−Ｒは、送信側監視制御部８の監視制御状態を示す監視制御信号を波長λＮ＋１の光信号に多重化する。この送信多重トランスポンダ６−Ｒは本願発明の監視制御信号出力部にも対応する。
ここで、波長λ１〜λＮを使用する送信多重トランスポンダ６−１〜６−Ｎは、通常の信号伝送に使用される運用系送信多重トランスポンダである。一方、波長λＮ＋１を使用する送信多重トランスポンダ６−Ｒは、波長λ１〜λＮによる信号伝送に障害が発生した場合に予備伝送路を構成する予備系送信多重トランスポンダである。
この送信多重トランスポンダ６−１〜６−Ｎ，６−Ｒにより多重化された各波長λ１〜λＮ，λＮ＋１の光信号は波長多重化部７に出力される。
【００１４】
波長多重化部７は、送信多重トランスポンダ６−１〜６−Ｎ，６−Ｒからの各波長λ１〜λＮ，λＮ＋１の光信号に対して波長多重を行うものである。この波長多重化部７により波長多重された波長多重光は伝送路３を介して受信装置２に送出される。
【００１５】
送信側監視制御部８は、各送信多重トランスポンダ６−１〜６−Ｎの状態を監視するとともに、各Ｎ：１光スイッチ５−１〜５−ｍに対する選択切り替え制御を行うものである。この送信側監視制御部８は、図２に示すように、各送信多重トランスポンダ６−１〜６−Ｎの障害を検出する障害検出部８１と、障害検出部８１による障害検出結果に基づいて、各Ｎ：１光スイッチ５−１〜５−ｍの選択切り替え制御を行う切り替え制御部８２と、送信側監視制御部８の監視制御状態を示す監視制御信号を生成して送信多重トランスポンダ６−Ｒに出力する監視制御信号生成部８３とから構成されている。
【００１６】
一方、受信装置２は、図１に示すように、波長分離部９、受信多重トランスポンダ１０−１〜１０−Ｎ，１０−Ｒ，１０−Ｒ２、（Ｎ＋１）：Ｎ光スイッチ（出力選択部）１１−１〜１１−ｍおよび受信側監視制御部（ＳＶ）１２から構成されている。
【００１７】
波長分離部９は、伝送路３を介して送信装置１から受信した波長多重光を各波長λ１〜λＮ，λＮ＋１の光信号に分離するものである。この波長分離部９により分離された各波長λ１〜λＮ，λＮ＋１の光信号は対応する受信多重トランスポンダ１０−１〜１０−Ｎ，１０−Ｒに出力される。
【００１８】
受信多重トランスポンダ１０−１〜１０−Ｎ，１０−Ｒは、波長分離部９からの光信号をｍ本の光信号に多重分離するものである。また、受信多重トランスポンダ１０−Ｒは、入力された光信号から監視制御信号を検出し、受信多重トランスポンダ１０−Ｒ２を介して受信側監視制御部１２に出力する。この受信多重トランスポンダ１０−Ｒは本願発明の監視制御信号検出部にも対応する。
ここで、送信多重トランスポンダ６−１〜６−Ｎ，６−Ｒと同様に、波長λ１〜λＮを使用する受信多重トランスポンダ１０−１〜１０−Ｎは、通常の信号伝送に使用される運用系受信多重トランスポンダである。一方、波長λＮ＋１を使用する受信多重トランスポンダ１０−Ｒは、波長λ１〜λＮによる信号伝送に障害が発生した場合に予備伝送路を構成する予備系受信多重トランスポンダである。
この受信多重トランスポンダ１０−１〜１０−Ｎ，１０−Ｒにより多重分離された光信号は対応する（Ｎ＋１）：Ｎ光スイッチ１１−１〜１１−ｍに出力される。
【００１９】
（Ｎ＋１）：Ｎ光スイッチ１１−１〜１１−ｍは、受信側監視制御部１２による制御に従い、受信多重トランスポンダ１０−１〜１０−Ｎからの光信号または受信多重トランスポンダ１０−Ｒからの光信号から出力光を選択するものである。
ここで、（Ｎ＋１）：Ｎ光スイッチ１１−１には、受信多重トランスポンダ１０−１からの光信号（１）、受信多重トランスポンダ１０−２からの光信号（１）、・・・、受信多重トランスポンダ１０−Ｒからの光信号（１）が入力されている。すなわち、（Ｎ＋１）：Ｎ光スイッチ１１−１には、各受信多重トランスポンダ１０−１〜１０−Ｎ，１０−Ｒの（１）番目の出力ポートからの光信号が入力されている。同様に（Ｎ＋１）：Ｎ光スイッチ１１−ｍには、各受信多重トランスポンダ１０−１〜１０−Ｎ，１０−Ｒの（ｍ）番目の出力ポートからの光信号が入力されている。
【００２０】
受信側監視制御部１２は、受信多重トランスポンダ１０−Ｒからの監視制御信号に基づいて、各（Ｎ＋１）：Ｎ光スイッチ１１−１〜１１−ｍに対する選択切り替え制御を行うものである。
【００２１】
次に、上記のように構成された送信多重トランスポンダ６−１〜６−Ｎ，６−Ｒおよび受信多重トランスポンダ１０−１〜１０−Ｎ，１０−Ｒの構成について説明する。
図３はこの発明の実施の形態１における多重トランスポンダの構成を示す図である。なお図３では、送信多重トランスポンダ６−Ｒおよび受信多重トランスポンダ１０−Ｒの構成について示している。
送信多重トランスポンダ６−Ｒは、図３（ａ）に示すように、低速側光／電気変換部（Ｏ／Ｅ）６１−１〜６１−ｍ、低速側受信信号処理部（ＲｘＩ／Ｆ（Ｌ））６２−１〜６２−ｍ、高速側送信信号処理部（ＴｘＩ／Ｆ（Ｈ））６３および高速側電気／光変換部（Ｅ／Ｏ）６４から構成されている。
【００２２】
Ｏ／Ｅ６１−１〜６１−ｍは、受信した光信号を電気信号に変換するものである。このＯ／Ｅ６１−１〜６１−ｍにより変換された電気信号は対応するＲｘＩ／Ｆ（Ｌ）６２−１〜６２−ｍに出力される。
【００２３】
ＲｘＩ／Ｆ（Ｌ）６２−１〜６２−ｍは、Ｏ／Ｅ６１−１〜６１−ｍからの電気信号に対してフレーム受信処理を行うものである。このＲｘＩ／Ｆ（Ｌ）６２−１〜６２−ｍによりフレーム受信処理がされた電気信号はＴｘＩ／Ｆ（Ｈ）６３に出力される。
【００２４】
ＴｘＩ／Ｆ（Ｈ）６３は、ＲｘＩ／Ｆ（Ｌ）６２−１〜６２−ｍからの各電気信号の多重化を行い、送信信号フレームを生成するものである。また、送信多重トランスポンダ６−ＲのＴｘＩ／Ｆ（Ｈ）６３では、送信側監視制御部８からの監視制御信号を、生成した送信信号フレームの制御信号領域へマッピングする。
このＴｘＩ／Ｆ（Ｈ）６３により生成された送信信号フレームはＥ／Ｏ６４に出力される。
【００２５】
Ｅ／Ｏ６４は、ＴｘＩ／Ｆ（Ｈ）６３からの送信信号フレームを波長多重化するために割り当てられた波長の光信号に変換するものである。このＥ／Ｏ６４により変換された光信号は波長多重化部７に出力される。
【００２６】
また、受信多重トランスポンダ１０−Ｒは、図３（ｂ）に示すように、高速側光／電気変換部（Ｏ／Ｅ）１０１、高速側受信信号処理部（ＲｘＩ／Ｆ（Ｈ））１０２、低速側送信信号処理部（ＴｘＩ／Ｆ（Ｌ））１０３−１〜１０３−ｍおよび低速側電気／光変換部（Ｅ／Ｏ）１０４−１〜１０４−ｍから構成されている。
【００２７】
Ｏ／Ｅ１０１は、受信した光信号を電気信号に変換するものである。このＯ／Ｅ１０１により変換された電気信号はＲｘＩ／Ｆ（Ｈ）１０２に出力される。
【００２８】
ＲｘＩ／Ｆ（Ｈ）１０２は、Ｏ／Ｅ１０１からの電気信号に対してフレーム受信処理を行うとともに、ｍ本の電気信号に多重分離するものである。また、受信多重トランスポンダ１０−ＲのＲｘＩ／Ｆ（Ｈ）１０２では、フレーム受信処理において、電気信号の制御信号領域から監視制御信号を検出して受信側監視制御部１２に出力する。
このＲｘＩ／Ｆ（Ｈ）１０２によりフレーム受信処理され多重分離された各電気信号は対応するＴｘＩ／Ｆ（Ｌ）１０３−１〜１０３−ｍに出力される。
【００２９】
ＴｘＩ／Ｆ（Ｌ）１０３−１〜１０３−ｍは、ＲｘＩ／Ｆ（Ｈ）１０２からのｍ本の電気信号に対して処理を行い、受信信号フレームを生成するものである。このＴｘＩ／Ｆ（Ｌ）１０３−１〜１０３−ｍにより生成された受信信号フレームは対応するＥ／Ｏ１０４−１〜１０４−ｍに出力される。
【００３０】
Ｅ／Ｏ１０４−１〜１０４−ｍは、ＴｘＩ／Ｆ（Ｌ）１０３−１〜１０３−ｍからの受信信号フレームを光信号に変換するものである。このＥ／Ｏ１０４−１〜１０４−ｍにより変換された光信号は対応する（Ｎ＋１）：Ｎ光スイッチ１１−１〜１１−ｍに出力される。
【００３１】
なお、その他の送信多重トランスポンダ６−１〜６−Ｎおよび受信多重トランスポンダ１０−１〜１０−Ｎの構成についても、監視制御信号のマッピング・検出を行わない点以外は送信多重トランスポンダ６−Ｒおよび受信多重トランスポンダ１０−Ｒの構成と同一である。
【００３２】
次に、上記のように構成された波長多重光伝送システムの動作について説明する。
図４はこの発明の実施の形態１に係る波長多重光伝送システムによる障害が発生した際の動作を示すフローチャートである。なお以下では、例として送信多重トランスポンダ６−２に障害が発生し、波長λ２の光信号の出力が停止した場合について説明する。
波長多重光伝送システムによる動作では、図４に示すように、まず、障害検出部８１は送信多重トランスポンダ６−２の障害を検出する（ステップＳＴ４１）。すなわち、障害検出部８１は、常時、運用系送信多重トランスポンダである各送信多重トランスポンダ６−１〜６−Ｎの状態を監視しており、送信多重トランスポンダ６−２に障害が発生し、波長λ２の光信号の出力が停止したことを検出する。
【００３３】
次いで、切り替え制御部８２は各Ｎ：１光スイッチ５−１〜５−ｍに対する選択切り替え制御を行う（ステップＳＴ４２）。すなわち、切り替え制御部８２は、各Ｎ：１光スイッチ５−１〜５−ｍに対して、送信多重トランスポンダ６−２に入力される光信号から分岐した光信号を出力光として選択するように制御する。
これにより、送信多重トランスポンダ６−Ｒには、送信多重トランスポンダ６−２に入力されるｍ本の光信号（１）〜（ｍ）と同一の光信号（１）〜（ｍ）が入力される状態となる。その後、この光信号（１）〜（ｍ）は、送信多重トランスポンダ６−Ｒにより波長λＮ＋１の光信号に変換された後、波長多重化部７によりその他の波長λ１〜λＮの光信号とともに波長多重され伝送路３を介して受信装置２へ送出される。
【００３４】
次いで、監視制御信号生成部８３は監視制御信号を出力する（ステップＳＴ４３）。すなわち、監視制御信号生成部８３は、自局の監視制御状態（送信多重トランスポンダ６−２に障害が発生し、送信多重トランスポンダ６−Ｒから代わりに光信号を出力している旨）を示す監視制御信号を生成して送信多重トランスポンダ６−Ｒに出力する。そして、送信多重トランスポンダ６−Ｒは、この監視制御信号を波長λＮ＋１の光信号に多重化（送信信号フレームの制御信号領域へマッピング）して出力する。
【００３５】
次いで、受信多重トランスポンダ１０−Ｒは監視制御信号を検出する（ステップＳＴ４４）。すなわち、伝送路３を介して送信装置１から伝送された光信号は、波長分離部９により波長λ１〜λＮ、λＮ＋１の光信号に分離される。各波長λ１〜λＮ、λＮ＋１に分離された光信号は対応する受信多重トランスポンダ１０−１〜１０−Ｎ，１０−Ｒに入力され、受信フレーム処理、多重分離が行われる。この受信多重トランスポンダ１０−１〜１０−Ｎ，１０−Ｒにより多重分離された各光信号は対応する（Ｎ＋１）：Ｎ光スイッチ１１−１〜１１−ｍに出力される。また、この際、受信多重トランスポンダ１０−Ｒでは、入力した波長λＮ＋１の光信号から、フレーム受信処理において監視制御領域から監視制御信号を検出する。この受信多重トランスポンダ１０−Ｒにより検出された監視制御信号は受信側監視制御部１２に出力される。
【００３６】
次いで、受信側監視制御部１２は各（Ｎ＋１）：Ｎ光スイッチ１１−１〜１１−ｍに対する選択切り替え制御を行う（ステップＳＴ４５）。すなわち、受信側監視制御部１２は、受信多重トランスポンダ１０−Ｒからの監視制御信号に基づいて、波長λ２を使用する送信多重トランスポンダ６−２に障害が発生し、送信多重トランスポンダ６−Ｒにより波長λ２の光信号と同一の光信号が出力されていることを認識する。そして、（Ｎ＋１）：Ｎ光スイッチ１１−１〜１１−ｍに対して、波長λ２を使用する受信多重トランスポンダ１０−２の代わりに受信多重トランスポンダ１０−Ｒからの光信号（１）〜（ｍ）を出力光として選択させるように制御する。なお、その他の受信多重トランスポンダ１１−１，１１−３〜１１−ｍからの各光信号（１）〜（ｍ）については、そのまま出力光として選択させるように制御する。
これにより、各（Ｎ＋１）：Ｎ光スイッチ１１−１〜１１−ｍから、受信多重トランスポンダ１０−２からのｍ本の光信号（１）〜（ｍ）と同一の光信号が出力される状態となる。
【００３７】
以上のように、この実施の形態１によれば、運用系送信多重トランスポンダに障害が発生した場合にも、Ｎ：１光スイッチ５−１〜５−ｍおよび（Ｎ＋１）：Ｎ光スイッチ１１−１〜１１−ｍに対する選択切り替え制御を行うことで、予備系送受信多重トランスポンダを用いて障害を回避して伝送することができる。
【００３８】
実施の形態２．
実施の形態１では、１つの運用系送信多重トランスポンダに障害が発生した場合について説明したが、実施の形態２では、さらに別の運用系送信多重トランスポンダにも障害が発生した場合について説明する。
図５はこの発明の実施の形態２における送信側監視制御部８の構成を示す図である。図５に示す実施の形態２における送信側監視制御部８は、図２に示す実施の形態１における送信側監視制御部８に設定情報保持部８４および設定判断部８５を追加したものである。その他の構成は同様であり、同一の符号を付してその説明を省略する。
【００３９】
設定情報保持部８４は、各送信多重トランスポンダ６−１〜６−Ｎが有する各入力ポート（１）〜（ｍ）の使用・未使用に関する設定情報を予め保持するものである。この設定情報保持部８４に保持されている各設定情報は設定判断部８５により参照される。
設定判断部８５は、障害検出部８１により第１の運用系送信多重トランスポンダの障害検出後に第２の運用系送信多重トランスポンダの障害が検出された場合に、設定情報保持部８４に保持されている第１，２の運用系送信多重トランスポンダに対応する設定情報を確認するものである。この設定判断部８５による確認結果を示す情報は切り替え制御部８２に出力される。
また、切り替え制御部８２は、設定判断部８５による確認結果情報に基づいて、Ｎ：１光スイッチ５−１〜５−ｍに対する選択切り替え制御を行う。
【００４０】
次に、上記のように構成された波長多重光伝送システムの動作について説明する。
図６はこの発明の実施の形態２に係る波長多重光伝送システムによる複数箇所に障害が発生した際の動作を示すフローチャートである。なお以下では、例として、送信多重トランスポンダ６−Ｒを用いて送信多重トランスポンダ６−２の障害回避中に、さらに別の送信多重トランスポンダ６−１にも障害が発生した場合について説明する。また、設定情報保持部８４には、予め、各送信多重トランスポンダ６−１〜６−Ｎが有する各入力ポート（１）〜（ｍ）の使用・未使用に関する設定情報が保持されている。
【００４１】
波長多重光伝送システムによる動作では、図６に示すように、送信多重トランスポンダ６−Ｒを用いて送信多重トランスポンダ６−２の障害回避中に、障害検出部８１はさらに別の送信多重トランスポンダ６−１の障害を検出する（ステップＳＴ６１）。
【００４２】
次いで、設定判断部８５は、設定情報保持部８４に保持されている設定情報を参照して、現在障害回避中の送信多重トランスポンダ６−２が有する各入力ポート（１）〜（ｍ）の使用・未使用設定を確認する（ステップＳＴ６２）。
次いで、設定判断部８５は、設定情報保持部８４に保持されている設定情報を参照して、新たに障害が発生した送信多重トランスポンダ６−１が有する各入力ポート（１）〜（ｍ）の使用・未使用設定を確認する（ステップＳＴ６３）。
【００４３】
次いで、設定判断部８５は、送信多重トランスポンダ６−２に未使用設定の入力ポート（ｐ）があり、かつ送信多重トランスポンダ６−１の対応する入力ポート（ｐ）が使用設定であるかを判断する（ステップＳＴ６４）。
【００４４】
このステップＳＴ６４において、設定判断部８５が、該当する入力ポート（ｐ）が存在すると判断した場合には、切り替え制御部８２は、各送信多重トランスポンダ６−１〜６−Ｎの入力ポート（ｐ）に入力される光信号（ｐ）から分岐された光信号が入力されるＮ：１光スイッチ５−ｐに対する選択切り替え制御を行う（ステップＳＴ６５）。すなわち、切り替え制御部８２は、Ｎ：１光スイッチ５−ｐに対して、送信多重トランスポンダ６−２に入力される光信号（ｐ）から分岐した光信号の選択から、送信多重トランスポンダ６−１に入力される光信号（ｐ）から分岐した光信号の選択に切り替えるように制御する。
【００４５】
これにより、送信多重トランスポンダ６−Ｒに入力される光信号（１）〜（ｍ）のうち、光信号（ｐ）は、送信多重トランスポンダ６−１に入力される光信号（ｐ）と同一の光信号に切り替えられる。なお、光信号（ｐ）以外の光信号は、送信多重トランスポンダ６−２に入力される光信号（ｐ）以外の光信号と同一の光信号のままである。
その後、この光信号（１）〜（ｍ）は、送信多重トランスポンダ６−Ｒにより波長λＮ＋１の光信号に変換された後、波長多重化部７によりその他の波長λ１〜λＮの光信号とともに波長多重され伝送路３を介して受信装置２へ送出される。
【００４６】
次いで、監視制御信号生成部８３は監視制御信号を出力する（ステップＳＴ６６）。すなわち、監視制御信号生成部８３は、自局の監視制御状態（送信多重トランスポンダ６−１にも障害が発生し、送信多重トランスポンダ６−Ｒから代わりに光信号（ｐ）を出力している旨）を示す監視制御信号を生成して送信多重トランスポンダ６−Ｒに出力する。そして、送信多重トランスポンダ６−Ｒは、監視制御信号を波長λＮ＋１の光信号に多重化（送信信号フレームの制御信号領域へマッピング）して出力する。
【００４７】
次いで、受信多重トランスポンダ１０−Ｒは監視制御信号を検出する（ステップＳＴ６７）。すなわち、伝送路３を介して送信装置１から伝送された光信号は、波長分離部９により波長λ１〜λＮ、λＮ＋１の光信号に分離される。各波長λ１〜λＮ、λＮ＋１に分離された光信号は対応する受信多重トランスポンダ１０−１〜１０−Ｎ，１０−Ｒに入力され、受信フレーム処理、多重分離が行われる。この受信多重トランスポンダ１０−１〜１０−Ｎ，１０−Ｒにより多重分離された各光信号は対応する（Ｎ＋１）：Ｎ光スイッチ１１−１〜１１−ｍに出力される。また、この際、受信多重トランスポンダ１０−Ｒでは、入力した波長λＮ＋１の光信号から、フレーム受信処理において監視制御領域から監視制御信号を検出する。この受信多重トランスポンダ１０−Ｒにより検出された監視制御信号は受信側監視制御部１２に出力される。
【００４８】
次いで、受信側監視制御部１２は（Ｎ＋１）：Ｎ光スイッチ１１−ｐに対する選択切り替え制御を行う（ステップＳＴ６８）。すなわち、受信側監視制御部１２は、受信多重トランスポンダ１０−Ｒからの監視制御信号に基づいて、波長λ１を使用する送信多重トランスポンダ６−１にも障害が発生し、送信多重トランスポンダ６−Ｒにより波長λ１の光信号（ｐ）と同一の光信号が出力されていることを認識する。そして、（Ｎ＋１）：Ｎ光スイッチ１１−ｐに対して、受信多重トランスポンダ１０−１の出力ポート（ｐ）からの光信号（ｐ）の代わりに、受信トランスポンダ１０−Ｒの出力ポート（ｐ）からの光信号（ｐ）を出力光として選択させるように切り替える。
これにより、既に障害回避中の送信多重トランスポンダ６−２に対しては、未使用設定の入力ポート（ｐ）に入力される光信号（ｐ）以外の光信号について障害回避が維持され、新たに障害が発生した送信多重トランスポンダ６−１に対しては光信号（ｐ）について障害回避が行われる。
【００４９】
以上のように、この実施の形態２によれば、各送信多重トランスポンダ６−１〜６−Ｎが有する入力ポート（１）〜（ｍ）について予め使用／未使用の設定情報を保持し、ある運用系送信多重トランスポンダの障害回避中に、さらに別の運用系送信多重トランスポンダに障害が発生した場合に、障害回避中の運用系送信多重トランスポンダの未使用設定の入力ポートに入力される光信号に対する障害回避を中止し、新たに障害が発生した運用系送信多重トランスポンダの光信号の障害回避を行うように、Ｎ：１光スイッチ５−１〜５−ｍおよび（Ｎ＋１）：Ｎ光スイッチ１１−１〜１１−ｍに対する選択切り替え制御を行うことで、実施の形態１における効果に加えて、波長の使用効率を向上させることができる。
【００５０】
実施の形態３．
実施の形態２では、運用系トランスポンダが有する各入力ポートの使用・未使用の設定情報に基づき、光スイッチの選択切り替え制御を行う場合について説明したが、実施の形態３では、運用系トランスポンダが有する各入力ポートの優先度に基づき、光スイッチの選択切り替え制御を行う場合について説明する。
なお、実施の形態３における送信側監視制御部８の構成は、図５に示す実施の形態２における送信側監視制御部８の構成と同様であり、以下では図５を参照しながら説明を行う。
【００５１】
なお、設定情報保持部８４は、各送信多重トランスポンダ６−１〜６−Ｎが有する各入力ポート（１）〜（ｍ）の優先度に関する設定情報を予め保持するものである。この設定情報保持部８４に保持されている各設定情報は設定判断部８５により参照される。
また、設定判断部８５は、障害検出部８１により第１の運用系送信多重トランスポンダの障害検出後に第２の運用系送信多重トランスポンダの障害が検出された場合に、設定情報保持部８４に保持されている第１，２の運用系送信多重トランスポンダに対応する設定情報を確認するものである。この設定判断部８５による確認結果を示す情報は切り替え制御部８２に出力される。
【００５２】
次に、上記のように構成された波長多重光伝送システムの動作について説明する。
図７はこの発明の実施の形態３に係る波長多重光伝送システムによる複数箇所に障害が発生した際の動作を示すフローチャートである。なお以下では、例として、送信多重トランスポンダ６−Ｒを用いて送信多重トランスポンダ６−２の障害回避中に、さらに別の送信多重トランスポンダ６−１にも障害が発生した場合について説明する。また、設定情報保持部８４には、予め、各送信多重トランスポンダ６−１〜６−Ｎが有する各入力ポート（１）〜（ｍ）の優先度に関する設定情報が保持されている。
【００５３】
波長多重光伝送システムによる動作では、図７に示すように、送信多重トランスポンダ６−Ｒを用いて送信多重トランスポンダ６−２の障害回避中に、障害検出部８１はさらに別の送信多重トランスポンダ６−１の障害を検出する（ステップＳＴ７１）。
【００５４】
次いで、設定判断部８５は、設定情報保持部８４に保持されている設定情報を参照して、現在障害回避中の送信多重トランスポンダ６−２が有する各入力ポート（１）〜（ｍ）の優先度設定を確認する（ステップＳＴ７２）。
次いで、設定判断部８５は、設定情報保持部８４に保持されている設定情報を参照して、新たに障害が発生した送信多重トランスポンダ６−１が有する各入力ポート（１）〜（ｍ）の優先度設定を確認する（ステップＳＴ７３）。
【００５５】
次いで、設定判断部８５は、送信多重トランスポンダ６−２の入力ポート（ｐ）の優先度より、送信多重トランスポンダ６−１の対応する入力ポート（ｐ）の優先度が高い入力ポート（ｐ）があるかを判断する（ステップＳＴ７４）。
【００５６】
このステップＳＴ７４において、設定判断部８５が、該当する入力ポート（ｐ）が存在すると判断した場合には、切り替え制御部８２は、各送信多重トランスポンダ６−１〜６−Ｎの入力ポート（ｐ）に入力される光信号（ｐ）から分岐された光信号が入力されるＮ：１光スイッチ５−ｐに対する選択切り替え制御を行う（ステップＳＴ７５）。すなわち、切り替え制御部８２は、Ｎ：１光スイッチ５−ｐに対して、送信多重トランスポンダ６−２に入力される光信号（ｐ）から分岐した光信号の選択から、送信多重トランスポンダ６−１に入力される光信号（ｐ）から分岐した光信号の選択に切り替えるように制御する。
【００５７】
これにより、送信多重トランスポンダ６−Ｒに入力される光信号（１）〜（ｍ）のうち、光信号（ｐ）は、送信多重トランスポンダ６−１に入力される光信号（ｐ）と同一の光信号に切り替えられる。なお、光信号（ｐ）以外の光信号は、送信多重トランスポンダ６−２に入力される光信号（ｐ）以外の光信号と同一の光信号のままである。
その後、この光信号（１）〜（ｍ）は、送信多重トランスポンダ６−Ｒにより波長λＮ＋１の光信号に変換された後、波長多重化部７によりその他の波長λ１〜λＮの光信号とともに波長多重され伝送路３を介して受信装置２へ送出される。
【００５８】
次いで、監視制御信号生成部８３は監視制御信号を出力する（ステップＳＴ７６）。すなわち、監視制御信号生成部８３は、自局の監視制御状態（送信多重トランスポンダ６−１にも障害が発生し、送信多重トランスポンダ６−Ｒから代わりに光信号（ｐ）を出力している旨）を示す監視制御信号を生成して送信多重トランスポンダ６−Ｒに出力する。そして、送信多重トランスポンダ６−Ｒは、監視制御信号を波長λＮ＋１の光信号に多重化（送信信号フレームの制御信号領域へマッピング）して出力する。
【００５９】
次いで、受信多重トランスポンダ１０−Ｒは監視制御信号を検出する（ステップＳＴ７７）。すなわち、伝送路３を介して送信装置１から伝送された光信号は、波長分離部９により波長λ１〜λＮ、λＮ＋１の光信号に分離される。各波長λ１〜λＮ、λＮ＋１に分離された光信号は対応する受信多重トランスポンダ１０−１〜１０−Ｎ，１０−Ｒに入力され、受信フレーム処理、多重分離が行われる。この受信多重トランスポンダ１０−１〜１０−Ｎ，１０−Ｒにより多重分離された各光信号（１）〜（ｍ）は対応する（Ｎ＋１）：Ｎ光スイッチ１１−１〜１１−ｍに出力される。また、この際、受信多重トランスポンダ１０−Ｒでは、入力した波長λＮ＋１の光信号から、フレーム受信処理において監視制御領域から監視制御信号を検出する。この受信多重トランスポンダ１０−Ｒにより検出された監視制御信号は受信側監視制御部１２に出力される。
【００６０】
次いで、受信側監視制御部１２は（Ｎ＋１）：Ｎ光スイッチ１１−ｐに対する選択切り替え制御を行う（ステップＳＴ７８）。すなわち、受信側監視制御部１２は、受信多重トランスポンダ１０−Ｒからの監視制御信号に基づいて、波長λ１を使用する送信多重トランスポンダ６−１にも障害が発生し、送信多重トランスポンダ６−Ｒにより波長λ１の光信号（ｐ）と同一の光信号が出力されていることを認識する。そして、（Ｎ＋１）：Ｎ光スイッチ１１−ｐに対して、受信多重トランスポンダ１０−１の出力ポート（ｐ）からの光信号（ｐ）の代わりに、受信トランスポンダ１０−Ｒの出力ポート（ｐ）からの光信号（ｐ）を出力光として選択させるように切り替える。
これにより、既に障害回避中の送信多重トランスポンダ６−２に対しては、光信号（ｐ）以外の光信号について障害回避が維持され、新たに障害が発生した送信多重トランスポンダ２−１に対しては、送信多重トランスポンダ６−２より優先度の高い光信号（ｐ）について障害回避が行われる。
【００６１】
以上のように、この実施の形態３によれば、各送信多重トランスポンダ６−１〜６−Ｎが有する入力ポート（１）〜（ｍ）について予め優先度の設定情報を保持し、ある運用系送信多重トランスポンダの障害回避中に、さらに別の運用系送信多重トランスポンダに障害が発生した場合に、双方の運用系送信多重トランスポンダの優先度の高い方の入力ポートに入力される光信号の障害回避を行うように、Ｎ：１光スイッチ５−１〜５−ｍおよび（Ｎ＋１）：Ｎ光スイッチ１１−１〜１１−ｍに対する選択切り替え制御を行うことで、実施の形態１における効果に加えて、波長の使用効率を向上させることができるとともに、常に最も優先度の高い光信号の障害が回避されるようになり、詳細な障害管理の設定が可能となる。
【００６２】
なお、実施の形態１〜３における受信装置２では、図１に示すように、（Ｎ＋１）：Ｎ光スイッチ１１−１〜１１−ｍを使用した場合について示したが、図８に示すように、受信側監視制御部１２による制御に従い、受信多重トランスポンダ１０−Ｒからの光信号の出力先を選択する１：Ｎ光スイッチ１３−１〜１３−ｍと、１：Ｎ光スイッチ１３−１〜１３−ｍからの光信号を対応する受信多重トランスポンダ１０−１〜１０−Ｎからの光信号と合波する光カプラ１４とを使用して構成してもよく、同様の効果を得ることができる。
【００６３】
また、実施の形態１〜３では、送信側監視制御部８から受信側監視制御部１２へ制御状態信号を通知する手段として、送信多重トランスポンダ６−Ｒで生成する送信フレームの制御信号領域にマッピングして転送する例を示したが、別途、波長λ１〜λＮ＋１以外の波長を利用した光信号に変換して伝送路３への光信号に波長多重して送出する手段でもよく、同様の効果を得ることができる。
【００６４】
また、実施の形態１〜３において、送信側監視制御部８および受信側監視制御部１２による障害回避対象の選択は、障害への対処の利便性を更に向上させるために強制的に任意に選択できるように構成してもよい。
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００６５】
この発明に係る波長多重光伝送システム、送信装置および受信装置は、１台のトランスポンダで複数の信号を収容する多重トランスポンダを使用した場合にも障害回避を行うことができ、信号伝送を確保することができるため、波長多重方式を用いた光通信用伝送システムに適用され、システムに故障が発生した際の信頼性を向上させる波長多重光伝送システム、送信装置および受信装置等に用いるのに適している。
【符号の説明】
【００６６】
１  送信装置、２  受信装置、３  伝送路、４  光カプラ４、５−１〜５−ｍ  Ｎ：１光スイッチ（入力選択部）、６−１〜６−Ｎ，６−Ｒ  送信多重トランスポンダ、７  波長多重化部、８  送信側監視制御部、９  波長分離部、１０−１〜１０−Ｎ，１０−Ｒ，１０−Ｒ２  受信多重トランスポンダ、１１−１〜１１−ｍ  （Ｎ＋１）：Ｎ光スイッチ（出力選択部）、１２  受信側監視制御部、１３−１〜１３−ｍ  １：Ｎ光スイッチ、１４  光カプラ、６１−１〜６１−ｍ  低速側光／電気変換部（Ｏ／Ｅ）、６２−１〜６２−ｍ  低速側受信信号処理部（ＲｘＩ／Ｆ（Ｌ））、６３  高速側送信信号処理部（ＴｘＩ／Ｆ（Ｈ））、６４  高速側電気／光変換部（Ｅ／Ｏ）、８１  障害検出部、８２  切り替え制御部、８３  監視制御信号生成部、８４  設定情報保持部、８５  設定判断部、１０１  高速側光／電気変換部（Ｏ／Ｅ）、１０２  高速側受信信号処理部（ＲｘＩ／Ｆ（Ｈ））、１０３−１〜１０３−ｍ  低速側送信信号処理部（ＴｘＩ／Ｆ（Ｌ））、１０４−１〜１０４−ｍ  低速側電気／光変換部（Ｅ／Ｏ）。
【手続補正２】
【補正対象書類名】特許請求の範囲
【補正対象項目名】全文
【補正方法】変更
【補正の内容】
【特許請求の範囲】
【請求項１】
複数の光信号を多重化して波長変換を行う送信装置と、前記送信装置からの波長多重光を複数の光信号に多重分離する受信装置とを備えた波長多重光伝送システムにおいて、
前記送信装置は、
複数の入力ポートを備え、当該入力ポートに入力された各光信号を多重化して固有波長の光信号に変換する複数の運用系送信多重トランスポンダと、
前記複数の運用系送信多重トランスポンダの対応する複数の入力ポート毎に設けられ、当該対応する複数の入力ポートに入力される各光信号からいずれか一つの光信号を選択し出力する複数の入力選択手段と、
前記複数の入力選択手段により選択された各光信号を多重化して、固有波長の光信号に変換する予備系送信多重トランスポンダと、
前記複数の運用系送信多重トランスポンダおよび予備系送信多重トランスポンダにより多重化された各波長の光信号に対して波長多重を行い、前記受信装置に出力する波長多重化手段と、
前記入力選択手段の選択切り替え制御状態を示す信号を前記受信装置に出力する送信側監視制御手段とを備え、
前記受信装置は、
前記波長多重化手段からの波長多重光を各波長の光信号に分離する波長分離手段と、
前記波長分離手段により分離された対応する波長の光信号を複数の光信号に多重分離する複数の運用系受信多重トランスポンダと、
前記波長分離手段により分離された対応する波長の光信号を複数の光信号に多重分離する予備系受信多重トランスポンダと、
前記各運用系受信多重トランスポンダにより多重分離された各光信号または予備系受信多重トランスポンダにより多重分離された各光信号から出力光を選択する出力選択手段と、
前記送信側監視制御手段の出力する信号に基づいて、前記出力選択手段の選択切り替え制御を行う受信側監視制御手段とを備えた
ことを特徴とする波長多重光伝送システム。
【請求項２】
前記送信側監視制御手段は、
前記運用系送信多重トランスポンダの障害を検出する障害検出手段と、
前記障害検出手段による障害検出結果に基づいて、前記入力選択手段の選択切り替え制御を行う切り替え制御手段とを備え、
前記切り替え制御手段は、前記障害検出手段により運用系送信多重トランスポンダの障害が検出された場合に、前記入力選択手段に、当該運用系送信多重トランスポンダに入力される各光信号を出力光として選択させ、
前記受信側監視制御手段は、前記出力選択手段に、当該運用系送信多重トランスポンダに対応する運用系受信多重トランスポンダの代わりに、前記予備系受信多重トランスポンダからの各光信号を出力光として選択させる
ことを特徴とする請求項１記載の波長多重光伝送システム。
【請求項３】
前記送信側監視制御手段は、
前記各運用系送信多重トランスポンダが有する各入力ポートの使用・未使用に関する設定情報を保持する設定情報保持手段と、
前記障害検出手段により第１の運用系送信多重トランスポンダの障害検出後に第２の運用系送信多重トランスポンダの障害が検出された場合に、前記設定情報保持手段に保持されている前記第１，２の運用系送信多重トランスポンダに対応する設定情報を比較する設定判断手段とをさらに備え、
前記切り替え制御手段は、前記設定判断手段により、前記第１の運用系送信多重トランスポンダに未使用設定の入力ポートがあり、かつ、前記第２の運用系送信多重トランスポンダの対応する入力ポートが使用設定であると判断された場合に、前記入力選択手段による出力光の選択を、当該未使用設定ポートに入力される光信号から当該使用設定ポートに入力される光信号に切り替え、
前記受信側監視制御手段は、前記出力選択手段に、当該未使用設定ポートに対応する前記予備系受信多重トランスポンダの出力ポートからの光信号を、当該使用設定ポートに対応する運用系受信多重トランスポンダの出力ポートの代わりに出力光として選択するように切替える
ことを特徴とする請求項２記載の波長多重光伝送システム。
【請求項４】
前記送信側監視制御手段は、
前記各運用系送信多重トランスポンダが有する各入力ポートの優先度に関する設定情報を保持する設定情報保持手段と、
前記障害検出手段により第１の運用系送信多重トランスポンダの障害検出後に第２の運用系送信多重トランスポンダの障害が検出された場合に、前記設定情報保持手段に保持されている前記第１，２の運用系送信多重トランスポンダに対応する設定情報を比較する設定判断手段とをさらに備え、
前記切り替え制御手段は、前記設定判断手段により、前記第１の運用系送信多重トランスポンダの入力ポートの優先度より、前記第２の運用系送信多重トランスポンダの対応する入力ポートの優先度が高いと判断された場合に、前記入力選択手段による出力光の選択を、当該第１の運用系送信多重トランスポンダの入力ポートに入力される光信号から当該第２の運用系送信多重トランスポンダの入力ポートに入力される光信号に切り替え、
前記受信側監視制御手段は、前記出力選択手段に、当該第１の運用系送信多重トランスポンダの入力ポートに対応する前記予備系受信多重トランスポンダの出力ポートからの光信号を、当該第２の運用系送信多重トランスポンダの入力ポートに対応する運用系受信多重トランスポンダの出力ポートの代わりに出力光として選択するように切替える
ことを特徴とする請求項２記載の波長多重光伝送システム。
【請求項５】
複数の光信号を多重化して波長変換を行う送信装置において、
複数の入力ポートを備え、当該入力ポートに入力された各光信号を多重化して固有波長の光信号に変換する複数の運用系送信多重トランスポンダと、
前記複数の運用系送信多重トランスポンダの対応する複数の入力ポート毎に設けられ、当該対応する複数の入力ポートに入力される各光信号からいずれか一つの光信号を選択し出力する複数の入力選択手段と、
前記複数の入力選択手段により選択された各光信号を多重化して、固有波長の光信号に変換する予備系送信多重トランスポンダと、
前記複数の運用系送信多重トランスポンダおよび予備系送信多重トランスポンダにより多重化された各波長の光信号に対して波長多重を行い、出力する波長多重化手段と、
前記入力選択手段の選択切り替え制御状態を示す信号を前記受信装置に出力する送信側監視制御手段とを備えたことを特徴とする送信装置。
【請求項６】
前記送信側監視制御手段は、
前記運用系送信多重トランスポンダの障害を検出する障害検出手段と、
前記障害検出手段による障害検出結果に基づいて、前記入力選択手段の選択切り替え制御を行う切り替え制御手段とを備え、
前記切り替え制御手段は、前記障害検出手段により運用系送信多重トランスポンダの障害が検出された場合に、前記入力選択手段に、当該運用系送信多重トランスポンダに入力される各光信号を出力光として選択させる
ことを特徴とする請求項５記載の送信装置。
【請求項７】
前記送信側監視制御手段は、
前記各運用系送信多重トランスポンダが有する各入力ポートの使用・未使用に関する設定情報を保持する設定情報保持手段と、
前記障害検出手段により第１の運用系送信多重トランスポンダの障害検出後に第２の運用系送信多重トランスポンダの障害が検出された場合に、前記設定情報保持手段に保持されている前記第１，２の運用系送信多重トランスポンダに対応する設定情報を比較する設定判断手段とをさらに備え、
前記切り替え制御手段は、前記設定判断手段により、前記第１の運用系送信多重トランスポンダに未使用設定の入力ポートがあり、かつ、前記第２の運用系送信多重トランスポンダの対応する入力ポートが使用設定であると判断された場合に、前記入力選択手段による出力光の選択を、当該未使用設定ポートに入力される光信号から当該使用設定ポートに入力される光信号に切り替える
ことを特徴とする請求項６記載の送信装置。
【請求項８】
前記送信側監視制御手段は、
前記各運用系送信多重トランスポンダが有する各入力ポートの優先度に関する設定情報を保持する設定情報保持手段と、
前記障害検出手段により第１の運用系送信多重トランスポンダの障害検出後に第２の運用系送信多重トランスポンダの障害が検出された場合に、前記設定情報保持手段に保持されている前記第１，２の運用系送信多重トランスポンダに対応する設定情報を比較する設定判断手段とをさらに備え、
前記切り替え制御手段は、前記設定判断手段により、前記第１の運用系送信多重トランスポンダの入力ポートの優先度より、前記第２の運用系送信多重トランスポンダの対応する入力ポートの優先度が高いと判断された場合に、前記入力選択手段による出力光の選択を、当該第１の運用系送信多重トランスポンダの入力ポートに入力される光信号から当該第２の運用系送信多重トランスポンダの入力ポートに入力される光信号に切り替える
ことを特徴とする請求項６記載の送信装置。
【請求項９】
複数の光信号が多重化され波長変換された波長多重光を受信し、複数の光信号に多重分離する受信装置において、
受信した波長多重光を各波長の光信号に分離する波長分離手段と、
前記波長分離手段により分離された対応する波長の光信号を複数の光信号に多重分離する複数の運用系受信多重トランスポンダと、
前記波長分離手段により分離された対応する波長の光信号を複数の光信号に多重分離する予備系受信多重トランスポンダと、
前記各運用系受信多重トランスポンダにより多重分離された各光信号または予備系受信多重トランスポンダにより多重分離された各光信号から出力光を選択する出力選択手段と、
前記運用系受信多重トランスポンダに対応する運用系送信多重トランスポンダの障害検出結果に基づき、前記予備系受信多重トランスポンダに対応する予備系送信多重トランスポンダへ入力される、前記運用系送信多重トランスポンダの対応する複数の入力ポート毎に設けられ、当該対応する複数の入力ポートに入力される各光信号からいずれか一つの光信号を選択し出力する複数の入力選択手段の、選択切り替え制御状態を示す信号に基づいて、前記出力選択手段の選択切り替え制御を行う受信側監視制御手段とを備えた
ことを特徴とする受信装置。
【請求項１０】
前記受信側監視制御手段は、前記予備系送信多重トランスポンダに前記運用系送信多重トランスポンダに入力される各光信号が入力されたことを示す情報が検出された場合に、前記出力選択手段に、当該運用系送信多重トランスポンダに対応する運用系受信多重トランスポンダの代わりに、前記予備系受信多重トランスポンダからの各光信号を出力光として選択させる
ことを特徴とする請求項９記載の受信装置。
【請求項１１】
前記受信側監視制御手段は、前記予備系送信多重トランスポンダの所定の入力ポートへの光信号が、第１の運用系送信多重トランスポンダの対応する入力ポートに入力される光信号から第２の運用系送信多重トランスポンダの対応する入力ポートに入力される光信号に切り替えられたことを示す情報が検出された場合に、前記出力選択手段に、当該第１の運用系送信多重トランスポンダの入力ポートに対応する前記予備系受信多重トランスポンダの出力ポートからの光信号を、当該第２の運用系送信多重トランスポンダの入力ポートに対応する運用系受信多重トランスポンダの出力ポートの代わりに出力光として選択するように切替える
ことを特徴とする請求項１０記載の受信装置。
【手続補正３】
【補正対象書類名】図面
【補正対象項目名】図４
【補正方法】変更
【補正の内容】
【図４】
2012073419.tif 000011
【手続補正４】
【補正対象書類名】図面
【補正対象項目名】図６
【補正方法】変更
【補正の内容】
【図６】
2012073419.tif 000012
【手続補正５】
【補正対象書類名】図面
【補正対象項目名】図７
【補正方法】変更
【補正の内容】
【図７】
2012073419.tif 000013
【国際調査報告】
2012073419.tif 000014
2012073419.tif 000015
2012073419.tif 000016